(57)【要約】  端末の実際の適用シナリオに基づき端末の移動性パターンを柔軟に構成し及び管理し、並びにネットワーク性能を最適化するために、端末の移動性パターンを管理する方法及び機器が開示される。方法は、制御プレーン機能CPFエンティティにより、端末の移動性パターン関連情報を取得するステップと、前記CPFエンティティにより、前記端末の前記移動性パターン関連情報に基づき、前記端末の第１移動性パターンを決定するステップと、前記CPFエンティティにより、前記決定した第１移動性パターンを無線アクセスネットワークRANノードへ送信するステップであって、前記第１移動性パターンは前記RANノードにより前記端末の第２移動性パターンを決定するために使用される、ステップと、を含む。
2019525676.tif 000002
【特許請求の範囲】
【請求項１】
端末の移動性パターンを管理する方法であって、
制御プレーン機能CPFエンティティにより、端末の移動性パターン関連情報を取得するステップと、
前記CPFエンティティにより、前記端末の前記移動性パターン関連情報に基づき、前記端末の第１移動性パターンを決定するステップと、
前記CPFエンティティにより、前記第１移動性パターンを無線アクセスネットワークRANノードへ送信するステップであって、前記第１移動性パターンは前記RANノードにより前記端末の第２移動性パターンを決定するために使用される、ステップと、
を含み、前記第１移動性パターン及び前記第２移動性パターンの両方は移動性管理構成情報を含む、方法。
【請求項２】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１に記載の方法。
【請求項３】
前記CPFエンティティにより、前記端末の前記移動性パターン関連情報に基づき前記端末の第１移動性パターンを決定する前記ステップは、
前記CPFエンティティにより、前記端末の前記移動性パターン能力情報に基づき、前記端末によりサポートされる前記移動性パターンを決定するステップ、及び、
前記CPFエンティティにより、前記端末の前記履歴移動性イベント統計情報に基づき、前記端末によりサポートされる前記移動性パターンから前記第１移動性パターンを選択し、又は、前記CPFエンティティにより、前記端末の前記サービス特徴情報に基づき、前記端末によりサポートされる前記移動性パターンから前記第１移動性パターンを選択し、又は、前記CPFエンティティにより、前記端末の前記サービス特徴情報及び前記履歴移動性イベント統計情報に基づき、前記端末によりサポートされる前記移動性パターンから前記第１移動性パターンを選択するステップ、
を含む、請求項２に記載の方法。
【請求項４】
前記第１移動性パターン及び前記第２移動性パターンの両方は、以下の移動性管理構成情報：接続状態、位置領域リスト、位置更新タイマ、又はページング領域、のうちの少なくとも１つを含む、請求項１乃至３のいずれか一項に記載の方法。
【請求項５】
前記接続状態は、シグナリング接続状態及びセッション接続状態のうちの少なくとも１つを含み、
前記シグナリング接続状態は、非アクセスストラタムNASシグナリング接続状態又は無線リソース制御RRCシグナリング接続状態を含む、請求項４に記載の方法。
【請求項６】
無線アクセスネットワークRANノードにより、制御プレーン機能CPFエンティティにより送信された端末の第１移動性パターンを受信するステップと、
前記RANノードにより、前記第１移動性パターンに基づき、前記端末の第２移動性パターンを決定するステップと、
前記RANノードにより、前記決定した第２移動性パターンを前記端末へ送信するステップと、
を含む方法。
【請求項７】
前記RANノードにより、前記第１移動性パターンに基づき、前記端末の第２移動性パターンを決定する前記ステップは、
前記RANノードにより、前記RANノードによりサポートされる移動性パターンを予め取得するステップ、及び、
前記RANノードにより、前記RANノードが前記第１移動性パターンに含まれる移動性管理構成情報をサポートする場合、前記第１移動性パターンを前記第２移動性パターンとして決定するステップ、又は、
前記RANノードにより、前記RANノードが前記第１移動性パターンに含まれる移動性管理構成情報をサポートしない場合、規定移動性パターンを前記第２移動性パターンとして選択するステップ、
を含む、請求項６に記載の方法。
【請求項８】
前記第１移動性パターン及び前記第２移動性パターンの両方は、以下：接続状態、位置領域リスト、位置更新タイマ、又はページング領域、のうちの少なくとも１つを含む、請求項６又は７に記載の方法。
【請求項９】
前記接続状態は、シグナリング接続状態又はセッション接続状態のうちの少なくとも１つを含み、
前記シグナリング接続状態は、非アクセスストラタムNASシグナリング接続状態又は無線リソース制御RRCシグナリング接続状態を含む、請求項６乃至８のいずれか一項に記載の方法。
【請求項１０】
端末の移動性パターンを管理する方法であって、
無線アクセスネットワークRANノードにより、制御プレーン機能CPFエンティティにより送信された端末の移動性パターン関連情報を受信するステップと、
前記RANノードにより、前記移動性パターン関連情報に基づき、前記端末の移動性パターンを決定するステップであって、前記移動性パターンは移動性管理構成情報を含む、ステップと、
前記RANノードにより、前記移動性パターンを前記端末へ送信するステップと、
を含む方法。
【請求項１１】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、及び前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１０に記載の方法。
【請求項１２】
前記RANノードにより、前記端末の前記移動性パターン関連情報に基づき前記端末の移動性パターンを決定する前記ステップは、
前記RANノードにより、前記端末の前記移動性パターン能力情報に基づき、前記端末によりサポートされる前記移動性パターンを決定するステップ、及び、
前記RANノードにより、前記端末の前記履歴移動性イベント統計情報に基づき、前記端末によりサポートされる前記移動性パターンから移動性パターンを選択し、又は、前記RANノードにより、前記端末の前記サービス特徴情報に基づき、前記端末によりサポートされる前記移動性パターンから移動性パターンを選択し、又は、前記RANノードにより、前記端末の前記サービス特徴情報及び前記履歴移動性イベント統計情報に基づき、前記端末によりサポートされる前記移動性パターンから移動性パターンを選択し、及び、前記移動性パターンを最終選択移動性パターンとして決定するステップ、
を含む、請求項１０又は１１に記載の方法。
【請求項１３】
前記移動性パターンは、以下の移動性管理構成情報：接続状態、位置領域リスト、位置更新タイマ、又はページング領域、のうちの少なくとも１つを含む、請求項１０乃至１２のいずれか一項に記載の方法。
【請求項１４】
前記接続状態は、シグナリング接続状態又はセッション接続状態のうちの少なくとも１つを含み、
前記シグナリング接続状態は、非アクセスストラタムNASシグナリング接続状態又は無線リソース制御RRCシグナリング接続状態を含む、請求項１０乃至１３のいずれか一項に記載の方法。
【請求項１５】
端末の移動性パターンを管理する方法であって、
端末により、前記端末の移動性パターン関連情報を制御プレーン機能CPFエンティティへ送信するステップであって、前記移動性パターン関連情報は、前記端末の第１移動性パターンを決定するために使用される、ステップと、
前記端末により、RANノードにより送信された第２移動性パターンを受信するステップであって、前記第２移動性パターンは移動性管理構成情報を含む、ステップと、
前記端末により、前記第２移動性パターンに基づき、前記端末の前記移動性管理構成情報を決定するステップと、
を含む方法。
【請求項１６】
前記移動性パターン関連情報は、以下の情報：移動性パターン能力情報、サービス特徴情報、及び履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１５に記載の方法。
【請求項１７】
端末の移動性パターンを管理する機器であって、
端末の移動性パターン関連情報を取得するよう構成される取得ユニットと、
前記取得ユニットにより取得された前記端末の前記移動性パターン関連情報に基づき、前記端末の第１移動性パターンを決定するよう構成される決定ユニットと、
無線アクセスネットワークRANノードへ、前記決定ユニットにより決定された前記第１移動性パターンを送信するよう構成される送信ユニットであって、前記第１移動性パターンは、前記RANノードにより前記端末の第２移動性パターンを決定するために使用される、送信ユニットと、
を含む機器。
【請求項１８】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１７に記載の機器。
【請求項１９】
前記決定ユニットは、
前記端末の前記移動性パターン能力情報に基づき、前記端末によりサポートされる前記移動性パターンを決定し、
前記端末の前記履歴移動性イベント統計情報に基づき、前記端末によりサポートされる前記移動性パターンから移動性パターンを選択し、又は前記端末の前記サービス特徴情報に基づき、前記端末によりサポートされる前記移動性パターンから移動性パターンを選択し、又は前記端末の前記サービス特徴情報及び前記履歴移動性イベント統計情報に基づき、前記端末によりサポートされる前記移動性パターンから移動性パターンを選択する、
よう構成される、請求項１８に記載の機器。
【請求項２０】
前記第１移動性パターン及び前記第２移動性パターンの両方は、以下の移動性管理構成情報：接続状態、位置領域リスト、位置更新タイマ、又はページング領域、のうちの少なくとも１つを含む、請求項１７乃至１９のいずれか一項に記載の機器。
【請求項２１】
前記接続状態は、シグナリング接続状態及びセッション接続状態のうちの少なくとも１つを含み、
前記シグナリング接続状態は、非アクセスストラタムNASシグナリング接続状態又は無線リソース制御RRCシグナリング接続状態を含む、請求項１７乃至２０のいずれか一項に記載の機器。
【請求項２２】
端末の移動性パターンを管理する機器であって、
制御プレーン機能CPFエンティティにより送信された端末の第１移動性パターンを受信するよう構成される受信ユニットと、
前記受信ユニットにより受信された前記第１移動性パターンに基づき、前記端末の第２移動性パターンを決定するよう構成される決定ユニットと、
前記端末へ、前記決定ユニットにより決定された前記第２移動性パターンを送信するよう構成される送信ユニットと、
を含む機器。
【請求項２３】
前記決定ユニットは、
前記機器によりサポートされる移動性パターンを予め取得し、
前記機器が前記第１移動性パターンに含まれる移動性管理構成情報をサポートする場合、前記第１移動性パターンを前記第２移動性パターンとして決定し、又は、
前記機器が前記第１移動性パターンに含まれる移動性管理構成情報をサポートしない場合、規定移動性パターンを前記第２移動性パターンとして選択する、
よう構成される、請求項２２に記載の機器。
【請求項２４】
前記第１移動性パターン及び前記第２移動性パターンの両方は、以下の移動性管理構成情報：接続状態、位置領域リスト、位置更新タイマ、又はページング領域、のうちの少なくとも１つを含む、請求項２２又は２３に記載の機器。
【請求項２５】
前記接続状態は、シグナリング接続状態又はセッション接続状態のうちの少なくとも１つを含み、
前記シグナリング接続状態は、非アクセスストラタムNASシグナリング接続状態又は無線リソース制御RRCシグナリング接続状態を含む、請求項２２乃至２４のいずれか一項に記載の機器。
【請求項２６】
端末の移動性パターンを管理する機器であって、
制御プレーン機能CPFエンティティにより送信された端末の移動性パターン関連情報を受信するよう構成される受信ユニットと、
前記受信ユニットにより受信された前記移動性パターン関連情報に基づき、前記端末の移動性パターンを決定するよう構成される決定ユニットと、
前記端末へ、前記決定ユニットにより決定された前記移動性パターンを送信するよう構成される送信ユニットと、
を含む機器。
【請求項２７】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項２６に記載の機器。
【請求項２８】
前記決定ユニットは、
前記端末の前記移動性パターン能力情報に基づき、前記端末によりサポートされる前記移動性パターンを決定し、
前記端末の前記履歴移動性イベント統計情報に基づき、前記端末によりサポートされる前記移動性パターンから移動性パターンを選択し、又は前記端末の前記サービス特徴情報に基づき、前記端末によりサポートされる前記移動性パターンから移動性パターンを選択し、又は前記端末の前記サービス特徴情報及び前記履歴移動性イベント統計情報に基づき、前記端末によりサポートされる前記移動性パターンから移動性パターンを選択する、
よう構成される、請求項２６又は２７に記載の機器。
【請求項２９】
前記移動性パターンは、以下の移動性管理構成情報：接続状態、位置領域リスト、位置更新タイマ、又はページング領域、のうちの少なくとも１つを含む、請求項２６乃至２８のいずれか一項に記載の機器。
【請求項３０】
前記接続状態は、シグナリング接続状態又はセッション接続状態のうちの少なくとも１つを含み、
前記シグナリング接続状態は、非アクセスストラタムNASシグナリング接続状態又は無線リソース制御RRCシグナリング接続状態を含む、請求項２６乃至２９のいずれか一項に記載の機器。
【請求項３１】
端末であって、
前記端末の移動性パターン関連情報を制御プレーン機能CPFエンティティへ送信するよう構成される送信ユニットであって、前記移動性パターン関連情報は前記端末の第１移動性パターンを決定するために使用される、送信ユニットと、
RANノードにより送信された第２移動性パターンを受信するよう構成される受信ユニットと、
前記第２移動性パターンに基づき、前記端末の移動性管理構成情報を決定するよう構成される決定ユニットと、
を含む端末。
【請求項３２】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項３１に記載の端末。
【発明の詳細な説明】
【技術分野】
【０００１】
本願は、通信技術の分野に関し、特に端末の移動性パターンを管理する方法及び機器に関する。
【背景技術】
【０００２】
第５世代（５th  Generation、５G）通信システムでは、端末の接続状態は、シグナリング接続状態及びセッション接続状態を含み得る。シグナリング接続状態は、非アクセスストラタム（Non  Access  stratum、NAS）シグナリング接続管理（英語：Connection  Management、略称：CM）状態、及び無線リソース制御（英語：Radio  Resource  Control、略称：RRC）シグナリング接続管理状態を含む。NASシグナリング接続管理状態は、NCMにより示され、状態NCM_IDLE及びNCM_CONNECTEDのような、端末とコアネットワークとの間のNASシグナリング接続の確立状態を示すために使用され得る。NCM_IDLEは、端末とコアネットワークとの間にシグナリング接続が確立されていないことを示す。NCM_CONNECTEDは、RANノードにより、端末とコアネットワークとの間にシグナリング接続が既に確立されていることを示す。RRCシグナリング接続管理状態は、状態RRC_IDLE、RRC_CONNECTED、RRC_INACTIVE、及びRRA_PCHのような、端末と無線アクセスネットワークとの間のRRCシグナリング接続の確立状態を示すために使用される。RRC_IDLEは、端末とRANノードとの間にRRC接続が確立されていないことを示す。RRC_CONNECTEDは、端末とRANノードとの間にRRC接続が既に確立されていることを示す。RRC_INACTIVEは、RANノードが、データパケットの送信後のRRCコンテキスト及びベアラコンテキストのような、端末の情報を依然として格納することを示す。RRAはRANノードのカバレッジを識別し、RRA_PCHは、端末がアイドル状態であることを示す。アイドル状態では、ネットワークはRRAカバレッジ内でのみ端末をページングする。
【０００３】
セッション接続管理状態は、端末とネットワークとの間のセッションコンテキストのアクティベーション状態を示すために使用され、SESSION  CONTEXT  ACTIVE、SESSION  CONTEXT  INACTIVE、及びSESSION  CONTEXT  SUSPENDのような状態を含む。SESSION  CONTEXT  ACTIVEは、セッションコンテキストがアクティブ状態であることを示す。言い換えると、セッションコンテキストは既に格納されている。SESSION  CONTEXT  INACTIVEは、セッションコンテキストが非アクティブ状態であることを示す。言い換えると、セッションコンテキストは既に削除されている。SESSION  CONTEXT  SUSPENDは、セッションコンテキストが格納されているが、データ受信又は送信が実行されないことを示す。
【０００４】
シグナリング接続状態について、異なるシグナリング接続状態は、端末位置の到達可能性、つまりコアネットワークにより決定可能な端末位置精度を示す。例えば、端末がNCM_IDLE状態であるとき、これは、端末とコアネットワークとの間にシグナリング接続が確立されていないことを示し、コアネットワークにより決定可能な端末位置精度は、コアネットワークにより端末に予め割り当てられた位置領域範囲である。位置領域範囲は、複数の無線アクセスネットワーク（英語：Radio  Access  Network、略称：RAN）ノードのカバレッジを含む。端末がNCM_CONNECTED状態であるとき、これは、RANノードにより端末とコアネットワークとの間にシグナリング接続が既に確立されていることを示し、コアネットワークにより決定可能な端末位置精度は、RANノードのカバレッジである。ダウンリンクデータが存在するとき、端末がNCM_IDLE状態であるならば、コアネットワークは、データを端末へ送信するために、端末の位置する位置領域範囲内で、複数のRANノードを用いて端末をページングする必要がある。この場合、ページングオーバヘッドが引き起こされる。端末がNCM_CONNECTED状態であるとき、コアネットワークは、データを、端末の現在位置するRANノードへ直接送信して良く、ページングを実行する必要がない。この場合、ページングオーバヘッドは削減され得る。しかしながら、端末が常にNCM_CONNECTEDであるならば、端末が移動し及び新しいRANノードに接続されると、端末は端末の位置をコアネットワークに対して更新する必要がある。この場合、位置更新オーバヘッドが引き起こされる。したがって、ページングオーバヘッド及び位置更新オーバヘッドは、合計オーバヘッドを最小にするために、バランスをとられる必要がある。
【０００５】
従来技術では、端末の接続状態及び状態遷移条件は、端末及びネットワーク側装置において予め構成される。端末及びネットワーク側装置において予め構成される端末のシグナリング接続状態及び状態遷移条件は、データを送信又は受信する前に、端末は先ずシグナリング接続をコアネットワークに対して確立する必要があり、この場合、シグナリング接続状態はNCM_CONNECTEDである。データ受信又は送信が終了した後に、シグナリング接続は解放され、シグナリング接続状態はNCM_IDLEに切り替えられる。このような固定的構成に基づくと、ページングオーバヘッド及び位置更新オーバヘッドのバランスをとることは非常に困難である。
【０００６】
セッション接続状態は、端末とネットワークとの間のサービスのセッションコンテキストのアクティベーション状態を示す。従来技術では、端末の接続状態及び状態遷移条件は、端末及びネットワーク側装置において予め構成される。端末及びRANノードにおいて予め構成される端末のセッション接続状態及び状態遷移条件は次の通りである。端末がサービスデータを受信又は送信しているとき、セッション接続状態はSESSION  CONTEXT  ACTIVEであり、サービスデータ受信又は送信が終了すると、セッション接続状態はSESSION  CONTEXT  INACTIVEに切り替えられ、RANノードはセッションコンテキストを削除する。このような固定的構成に基づくと、データサービスを頻繁に実行する、例えばデータ受信又は送信を１分間隔で実行する端末では、データ受信又は送信が実行される度にセッションコンテキストは再確立される必要があるので、シグナリングオーバヘッドは比較的高い。データサービスを滅多に実行しない、例えばデータ受信又は送信を１日間隔で実行する端末では、セッションコンテキストが常に格納されるので、追加記憶及び保守オーバヘッドが引き起こされる。
【０００７】
纏めると、従来技術では、端末の接続状態及び状態遷移条件は、端末及びネットワーク側装置において予め構成され、固定的構成は、通常、端末の実際の適用シナリオに基づき柔軟に変更できない。したがって、ネットワーク性能が低下する。
【発明の概要】
【０００８】
本願は、端末の移動性パターンを管理する方法及び機器を提供する。移動性パターンは、ネットワーク性能を最適化するために端末の移動性管理構成情報を柔軟に構成するために、移動性管理構成情報、例えば接続状態、位置領域リスト、位置更新タイマ、及びページング領域のような構成情報を含む。
【０００９】
第１の態様によると、端末の移動性パターンを管理する方法が提供される。ここで、方法は、以下の方法：制御プレーン機能CPFエンティティにより、端末の移動性パターン関連情報を取得するステップと、端末の第１移動性パターンを端末の移動性パターン関連情報に基づき決定するステップと、CPFエンティティにより、第１移動性パターンを無線アクセスネットワークRANノードへ送信するステップであって、RANノードが端末の第２移動性パターンを第１移動性パターンに基づき決定するようにする、ステップと、により実施される。このように、CPFエンティティは、端末に適する移動性パターンを、端末の実際の適用シナリオに基づき選択でき、RANノードは、端末のために最終的に構成された移動性パターンを決定し、端末に通知する。これは、端末の固定的移動性パターン構成を打ち破り、端末の移動性パターンの柔軟な構成及び管理を、端末の実際の適用シナリオに基づき実施し、ネットワーク性能を最適化する。
【００１０】
可能な設計では、CPFエンティティは、端末の第１移動性パターンを端末へ直接送信する。
【００１１】
可能な設計では、移動性パターン関連情報は、以下の情報：移動性パターン能力情報、サービス特徴情報、及び履歴移動性イベント統計情報、のうちの少なくとも１つを含み、又は、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。このように、端末の履歴データは、端末の実際の適用シナリオを取得するために十分に使用でき、CPFエンティティ及びRANノードが端末の実際の適用シナリオに適する移動性パターンを正確に決定できるようにする。
【００１２】
可能な設計では、CPFエンティティにより、端末の第１移動性パターンを端末の移動性パターン関連情報に基づき決定するステップは、以下の方法：CPFエンティティにより、端末の移動性パターン能力情報に基づき、端末によりサポート可能な移動性パターンを決定するステップ、及び、CPFエンティティにより、端末の履歴移動性イベント統計情報に基づき、端末によりサポート可能な移動性パターンから移動性パターンを選択するステップ、又は、CPFエンティティにより、端末のサービス特徴情報に基づき、端末によりサポート可能な移動性パターンから移動性パターンを選択するステップ、又は、CPFエンティティにより、端末のサービス特徴情報及び履歴移動性イベント統計情報に基づき、端末によりサポート可能な移動性パターンから移動性パターンを選択するステップ、により実施される。
【００１３】
可能な設計では、第１移動性パターン及び第２移動性パターンの両方は、以下の移動性管理構成情報：接続状態、位置領域リスト、位置更新タイマ、又はページング領域、のうちの少なくとも１つを含む。
【００１４】
可能な設計では、接続状態は、シグナリング接続状態又はセッション接続状態のうちの少なくとも１つを含み、シグナリング接続状態は、非アクセスストラタムNASシグナリング接続状態又は無線リソース制御RRCシグナリング接続状態を含む。
【００１５】
可能な設計では、RANノードは、決定した第２移動性パターンをCPFエンティティへ更に送信する。このように、端末、RANノード、及びCPFエンティティは、端末により使用される移動性パターンを知ることができ、ネットワーク調和が矛盾のないものになる。
【００１６】
第２の態様によると、端末の移動性パターンを管理する方法であって、無線アクセスネットワークRANノードにより、制御プレーン機能CPFエンティティにより送信された端末の第１移動性パターンを受信するステップと、RANノードにより、端末の第２移動性パターンを第１移動性パターンに基づき決定するステップと、RANノードにより、決定した第２移動性パターンを端末へ送信するステップと、を含む方法が提供される。このように、RANノードは、端末の移動性パターンを、CPFエンティティにより送信され且つ端末の実際の適用シナリオに適合する移動性パターンに基づき構成し、端末に通知できる。これは、端末の固定的移動性パターン構成を打ち破り、端末の移動性パターンの柔軟な構成及び管理を、端末の実際の適用シナリオに基づき実施し、ネットワーク性能を最適化する。
【００１７】
可能な設計では、RANノードにより、端末の第２移動性パターンを第１移動性パターンに基づき決定するステップは、以下の方法：RANノードにより、RANノードによりサポート可能な移動性パターンを予め取得するステップ、及び、RANノードにより、RANノードが第１移動性パターンに含まれる移動性管理構成情報をサポート可能な場合、第１移動性パターンを第２移動性パターンとして決定するステップ、又は、RANノードにより、RANノードが第１移動性パターンに含まれる移動性管理構成情報をサポートしない場合、規定移動性パターンを第２移動性パターンとして選択するステップ、で実施されて良い。端末の移動性パターンの柔軟な構成に基づき、RANノードの構成は、RANノードと端末との間の正常動作を保証するよう考慮される。
【００１８】
可能な設計では、第１移動性パターン及び第２移動性パターンの両方は、以下の移動性管理構成情報：接続状態、位置領域リスト、位置更新タイマ、又はページング領域、のうちの少なくとも１つを含む。
【００１９】
可能な設計では、接続状態は、シグナリング接続状態又はセッション接続状態のうちの少なくとも１つを含み、シグナリング接続状態は、非アクセスストラタムNASシグナリング接続状態又は無線リソース制御RRCシグナリング接続状態を含む。
【００２０】
可能な設計では、RANノードは、決定した第２移動性パターンをCPFエンティティへ更に送信する。
【００２１】
このように、端末、RANノード、及びCPFエンティティは、端末により使用される移動性パターンを知ることができ、ネットワーク調和が矛盾のないものになる。
【００２２】
第３の態様によると、端末の移動性パターンを管理する方法であって、無線アクセスネットワークRANノードにより、制御プレーン機能CPFエンティティにより送信された端末の移動性パターン関連情報を受信するステップと、RANノードにより、端末の移動性パターンを移動性パターン関連情報に基づき決定するステップと、RANノードにより、移動性パターンを端末へ送信するステップと、を含む方法が提供される。このように、RANノードは、端末に適する移動性パターンを端末の実際の適用シナリオに基づき選択し、端末に通知できる。これは、端末の固定的移動性パターン構成を打ち破り、端末の移動性パターンの柔軟な構成及び管理を、端末の実際の適用シナリオに基づき実施し、ネットワーク性能を最適化する。
【００２３】
可能な設計では、移動性パターン関連情報は、以下の情報：移動性パターン能力情報、サービス特徴情報、又は履歴移動性イベント統計情報、のうちの少なくとも１つを含み、及び、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。このように、端末の履歴データは、端末の実際の適用シナリオを取得するために十分に使用でき、CPFエンティティ及びRANノードが端末の実際の適用シナリオに適する移動性パターンを正確に決定できるようにする。
【００２４】
可能な設計では、RANノードにより、端末の移動性パターンを端末の移動性パターン関連情報に基づき決定するステップは、以下の方法：RANノードにより、端末の移動性パターン能力情報に基づき、端末によりサポートされる移動性パターンを決定するステップ、及び、RANノードにより、端末の履歴移動性イベント統計情報に基づき、端末によりサポート可能な移動性パターンから移動性パターンを選択するステップ、又は、RANノードにより、端末のサービス特徴情報に基づき、端末によりサポート可能な移動性パターンから移動性パターンを選択するステップ、又は、RANノードにより、端末のサービス特徴情報及び履歴移動性イベント統計情報に基づき、端末によりサポート可能な移動性パターンから移動性パターンを選択するステップ、により実施されて良い。
【００２５】
可能な設計では、移動性パターンは、以下の移動性管理構成情報：接続状態、位置領域リスト、位置更新タイマ、又はページング領域、のうちの少なくとも１つを含む。
【００２６】
可能な設計では、接続状態は、シグナリング接続状態又はセッション接続状態のうちの少なくとも１つを含み、シグナリング接続状態は、非アクセスストラタムNASシグナリング接続状態又は無線リソース制御RRCシグナリング接続状態を含む。
【００２７】
可能な設計では、RANノードは、決定した移動性パターンをCPFエンティティへ更に送信する。このように、端末、RANノード、及びCPFエンティティは、端末により使用される移動性パターンを知ることができ、ネットワーク調和が矛盾のないものになる。
【００２８】
第４の態様によると、端末の移動性パターンを管理する方法であって、端末により、端末の移動性パターン関連情報を制御プレーン機能CPFエンティティへ送信するステップであって、移動性パターン関連情報は、端末の第１移動性パターンを決定するために使用される、ステップと、端末により、RANノードにより送信された第２移動性パターンを受信するステップと、端末により、第２移動性パターンに基づき、端末により使用される移動性管理構成情報を決定するステップと、を含む方法が提供される。このように、端末は、移動性パターンを、端末によりサポート可能な移動性パターンの固定的構成に基づき使用しないが、移動性パターンをネットワーク側装置の構成に基づき柔軟に使用して、端末の移動性パターンを端末の実際の適用シナリオに一致させる目的を達成する。
【００２９】
可能な設計では、移動性パターン関連情報は、以下の情報：移動性パターン能力情報、サービス特徴情報、又は履歴移動性イベント統計情報、のうちの少なくとも１つを含み、及び、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。
【００３０】
第５の態様によると、端末の移動性パターンを管理する機器が提供される。機器は、第１の態様又は第１の態様の可能な設計のうちのいずれか１つのCPFエンティティの動作を実施する機能を有する。機能は、ハードウェアを用いて実装されて良く、又は対応するソフトウェアを実行することによりハードウェアにより実装されて良い。ハードウェア又はソフトウェアは、前述の機能に対応する１又は複数のモジュールを含む。
【００３１】
第６の態様によると、端末の移動性パターンを管理する機器が提供される。機器は、第２の態様又は第２の態様の可能な設計のうちのいずれか１つのRANノードの動作を実施する機能を有する。機能は、ハードウェアを用いて実装されて良く、又は対応するソフトウェアを実行することによりハードウェアにより実装されて良い。ハードウェア又はソフトウェアは、前述の機能に対応する１又は複数のモジュールを含む。
【００３２】
第７の態様によると、端末の移動性パターンを管理する機器が提供される。機器は、第３の態様又は第３の態様の可能な設計のうちのいずれか１つのRANノードの動作を実施する機能を有する。機能は、ハードウェアを用いて実装されて良く、又は対応するソフトウェアを実行することによりハードウェアにより実装されて良い。ハードウェア又はソフトウェアは、前述の機能に対応する１又は複数のモジュールを含む。
【００３３】
第８の態様によると、端末が提供される。機器は、第４の態様又は第４の態様の可能な設計のうちのいずれか１つの端末の動作を実施する機能を有する。機能は、ハードウェアを用いて実装されて良く、又は対応するソフトウェアを実行することによりハードウェアにより実装されて良い。ハードウェア又はソフトウェアは、前述の機能に対応する１又は複数のモジュールを含む。
【００３４】
第９の態様によると、通信機、メモリ、及びプロセッサを含む、CPFエンティティが提供される。メモリは、プログラムのセットを格納するよう構成される。プロセッサは、以下の動作を実行するために、メモリに格納されたプログラムを呼び出すよう構成される：端末の移動性パターン関連情報を取得するステップと、取得した端末の移動性パターン関連情報に基づき、端末の第１移動性パターンを決定するステップと、第１移動性パターンを無線アクセスネットワークRANノードへ通信機を用いて送信するステップであって、第１移動性パターンはRANノードにより端末の第２移動性パターンを決定するために使用される、ステップ。このように、CPFエンティティは、端末に適する移動性パターンを、端末の実際の適用シナリオに基づき選択でき、RANノードは、端末のために最終的に構成された移動性パターンを決定し、端末に通知する。これは、端末の固定的移動性パターン構成を打ち破り、端末の移動性パターンの柔軟な構成及び管理を、端末の実際の適用シナリオに基づき実施し、ネットワーク性能を最適化する。
【００３５】
可能な設計では、移動性パターン関連情報は、以下の情報：移動性パターン能力情報、サービス特徴情報、又は履歴移動性イベント統計情報、のうちの少なくとも１つを含み、及び、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。このように、端末の履歴データは、端末の実際の適用シナリオを取得するために十分に使用でき、CPFエンティティ及びRANノードが端末の実際の適用シナリオに適する移動性パターンを正確に決定できるようにする。
【００３６】
可能な設計では、プロセッサは、端末の移動性パターン能力情報に基づき、端末によりサポート可能な移動性パターンを決定し、端末の履歴移動性イベント統計情報に基づき、端末によりサポート可能な移動性パターンから移動性パターンを選択し、又は端末のサービス特徴情報に基づき、端末によりサポート可能な移動性パターンから移動性パターンを選択し、又は端末のサービス特徴情報及び履歴移動性イベント統計情報に基づき、端末によりサポート可能な移動性パターンから移動性パターンを選択する、よう構成される。
【００３７】
可能な設計では、第１移動性パターン及び第２移動性パターンの両方は、以下の移動性管理構成情報：接続状態、位置領域リスト、位置更新タイマ、又はページング領域、のうちの少なくとも１つを含む。
【００３８】
可能な設計では、接続状態は、シグナリング接続状態又はセッション接続状態のうちの少なくとも１つを含み、シグナリング接続状態は、非アクセスストラタムNASシグナリング接続状態又は無線リソース制御RRCシグナリング接続状態を含む。
【００３９】
第１０の態様によると、通信機、メモリ、及びプロセッサを含む、無線アクセスネットワークRANノードが提供される。メモリは、プログラムのセットを格納するよう構成される。プロセッサは、以下の動作を実行するために、メモリに格納されたプログラムを呼び出すよう構成される：通信機を用いて、制御プレーン機能CPFエンティティにより送信された端末の第１移動性パターンを受信するステップと、端末の第２移動性パターンを第１移動性パターンに基づき決定するステップと、決定した第２移動性パターンを端末へ送信するステップ。このように、RANノードは、端末の移動性パターンを、CPFエンティティにより送信され且つ端末の実際の適用シナリオに適合する移動性パターンに基づき構成し、端末に通知できる。これは、端末の固定的移動性パターン構成を打ち破り、端末の移動性パターンの柔軟な構成及び管理を、端末の実際の適用シナリオに基づき実施し、ネットワーク性能を最適化する。
【００４０】
可能な設計では、プロセッサは、CPFエンティティによりサポート可能な移動性パターンを予め取得し、CPFエンティティが第１移動性パターンに含まれる移動性管理構成情報をサポート可能である場合、第１移動性パターンを第２移動性パターンとして決定し、又は、CPFエンティティが第１移動性パターンに含まれる移動性管理構成情報をサポートしない場合、規定移動性パターンを第２移動性パターンとして選択する、よう構成される。端末の移動性パターンの柔軟な構成に基づき、RANノードの構成は、RANノードと端末との間の正常動作を保証するよう十分に考慮される。
【００４１】
可能な設計では、第１移動性パターン及び第２移動性パターンの両方は、以下の移動性管理構成情報：接続状態、位置領域リスト、位置更新タイマ、又はページング領域、のうちの少なくとも１つを含む。
【００４２】
可能な設計では、接続状態は、シグナリング接続状態及びセッション接続状態のうちの少なくとも１つを含み、シグナリング接続状態は、非アクセスストラタムNASシグナリング接続状態又は無線リソース制御RRCシグナリング接続状態を含む。
【００４３】
第１１の態様によると、通信機、メモリ、及びプロセッサを含む、無線アクセスネットワークRANノードが提供される。メモリは、プログラムのセットを格納するよう構成される。プロセッサは、以下の動作を実行するために、メモリに格納されたプログラムを呼び出すよう構成される：通信機を用いて、制御プレーン機能CPFエンティティにより送信された端末の移動性パターン関連情報を受信するステップと、端末の移動性パターンを受信ユニットにより受信された移動性パターン関連情報に基づき決定するステップと、端末へ決定ユニットにより決定された移動性パターンを送信するステップ。このように、RANノードは、端末に適する移動性パターンを端末の実際の適用シナリオに基づき選択し、端末に通知できる。これは、端末の固定的移動性パターン構成を打ち破り、端末の移動性パターンの柔軟な構成及び管理を、端末の実際の適用シナリオに基づき実施し、ネットワーク性能を最適化する。
【００４４】
可能な設計では、移動性パターン関連情報は、以下の情報：移動性パターン能力情報、サービス特徴情報、又は履歴移動性イベント統計情報、のうちの少なくとも１つを含み、及び、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。このように、端末の履歴データは、端末の実際の適用シナリオを取得するために十分に使用でき、CPFエンティティ及びRANノードが端末の実際の適用シナリオに適する移動性パターンを正確に決定できるようにする。
【００４５】
可能な設計では、プロセッサは、端末の移動性パターン能力情報に基づき、端末によりサポートされる移動性パターンを決定し、端末の履歴移動性イベント統計情報に基づき、端末によりサポート可能な移動性パターンから移動性パターンを選択し、又は端末のサービス特徴情報に基づき、端末によりサポート可能な移動性パターンから移動性パターンを選択し、又は端末のサービス特徴情報及び履歴移動性イベント統計情報に基づき、端末によりサポート可能な移動性パターンから移動性パターンを選択する、よう構成される。
【００４６】
可能な設計では、移動性パターンは、以下の移動性管理構成情報：接続状態、位置領域リスト、位置更新タイマ、又はページング領域、のうちの少なくとも１つを含む。
【００４７】
可能な設計では、接続状態は、シグナリング接続状態及びセッション接続状態のうちの少なくとも１つを含み、シグナリング接続状態は、非アクセスストラタムNASシグナリング接続状態又は無線リソース制御RRCシグナリング接続状態を含む。
【００４８】
第１２の態様によると、通信機、メモリ、及びプロセッサを含む、端末が提供される。メモリは、プログラムのセットを格納するよう構成される。プロセッサは、以下の動作を実行するために、メモリに格納されたプログラムを呼び出すよう構成される：端末の移動性パターン関連情報を制御プレーン機能CPFエンティティへ送信するステップであって、移動性パターン関連情報は端末の第１移動性パターンを決定するために使用される、ステップと、RANノードにより送信された第２移動性パターンを受信するステップと、第２移動性パターンに基づき、端末により使用される移動性管理構成情報を決定するステップ。このように、端末は、移動性パターンを、端末によりサポート可能な移動性パターンの固定的構成に基づき使用しないが、移動性パターンをネットワーク側装置の構成に基づき柔軟に使用して、端末の移動性パターンを端末の実際の適用シナリオに一致させる目的を達成する。
【００４９】
可能な設計では、移動性パターン関連情報は、以下の情報：移動性パターン能力情報、サービス特徴情報、又は履歴移動性イベント統計情報、のうちの少なくとも１つを含み、及び、移動性パターン能力情報は、端末によりサポート可能な移動性パターンを含み、サービス特徴情報は、端末の周期的サービス指示、端末の単一サービス通信の期間、又は端末のサービス周期、のうちの少なくとも１つを含み、履歴移動性イベント統計情報は、特定時間セグメント内で端末において生じるハンドオーバ又は位置更新を含み、又は履歴移動性イベント統計情報は、特定位置において生じるハンドオーバ又は位置更新を含み、又は履歴移動性イベント統計情報は、特定時間セグメント内で又は特定位置において生じる移動速度種別を含む。
【図面の簡単な説明】
【００５０】
【図１】本願の一実施形態による通信システムのアーキテクチャ図である。
【図２】本願の一実施形態による端末の移動性パターンを管理する方法の第１フローチャートである。
【図３】本願の一実施形態による端末の移動性パターンを管理する方法の第２フローチャートである。
【図４】本願の一実施形態による端末の移動性パターンを管理する方法の第３フローチャートである。
【図５】本願の一実施形態による端末の移動性パターンを管理する方法の第４フローチャートである。
【図６】本願の一実施形態による端末の移動性パターンを管理する機器の第１構造図である。
【図７】本願の一実施形態による端末の移動性パターンを管理する機器の第２構造図である。
【図８】本願の一実施形態による端末の移動性パターンを管理する機器の第３構造図である。
【図９】本願の一実施形態による端末の第１構造図である。
【図１０】本願の一実施形態によるCPFエンティティの構造図である。
【図１１】本願の一実施形態によるRANノードの第１構造図である。
【図１２】本願の一実施形態による端末の第２構造図である。
【図１３】本願の一実施形態による端末の第２構造図である。
【発明を実施するための形態】
【００５１】
本願の目的、技術的ソリューション、及び利点をより明らかにするために、以下は、本願を、添付の図面を参照して以下に詳述する。明らかに、記載される実施形態は、本願の実施形態の全部というより、ほんの一部である。本願の実施形態に基づき創造的労力を有しないで当業者により得られる全ての他の実施形態は、本願の保護範囲に包含されるべきである。
【００５２】
端末の固定的移動性管理構成情報が端末の実際の適用シナリオに基づき柔軟に変更できないためにネットワーク性能が低下する従来技術の問題について、本願の実施形態は、端末の移動性パターンを管理する方法及び機器を提供する。制御プレーン機能（英語：Control  Plane  Function、CPF）エンティティは、端末に適する移動性パターンを、端末の実際の適用シナリオに基づき選択し、RANノードは、端末のために最終的に構成された移動性パターンを決定し、端末に通知する。これは、端末の固定的移動性パターン構成を打ち破り、端末の移動性パターンの柔軟な構成及び管理を、端末の実際の適用シナリオに基づき実施し、ネットワーク性能を最適化する。
【００５３】
本願の実施形態で提供される方法は、ロングタームエボリューション（英語：Long  Term  Evolution、略称：LTE）システム、５G通信システム、又は更に将来の通信システムのような、種々の無線アクセス技術を用いるネットワークシステムに適用可能であり得る。本願は、ソリューションを５G通信システムを一例として用いて詳細に記載する。
【００５４】
５G通信システムは、ネットワークを柔軟な方法で構築し、ネットワークは更にネットワークスライス（Network  Slice）として抽象化される。ネットワークスライス技術は、物理ネットワークを複数の仮想エンドツーエンドネットワークにスライスすることである。各仮想ネットワークは、ネットワーク内に装置、アクセス、送信、及びコアネットワークを含み、論理的に独立である。各ネットワークスライスは、別個のネットワーク機能又は機能の組み合わせをインスタンス化することにより形成され、異なる機能及び特徴を有し、異なる要件及びサービス向けである。
【００５５】
図１に示されるように、本願の一実施形態の通信システムアーキテクチャ１００は、端末１０１、RANノード１０２、及び幾つかのネットワークスライス１０３を含む。ネットワークスライス１０３は、CPFエンティティ１０４及びユーザプレーン機能（user  plane  function、UPF）エンティティ１０５を含む。CPFエンティティ１０４は、主に、装置アクセス認証、セキュア暗号化、及び位置登録のような移動性管理（英語：Mobility  Management、略称：MM）機能、ユーザプレーン送信経路の確立、解放、及び変更のようなセッション管理（英語：Session  Management、略称：SM）機能、及びサービス品質（英語：Quality  of  Service、略称：QoS）及び課金のような関連ポリシ及び課金（英語：Policy  and  Charging、略称PC）制御機能を含む制御プレーン関連シグナリングメッセージ処理を実施する。本願の本実施形態では、CPFエンティティは、MM機能及びSM機能の両方を有する１つのエンティティであり、又はCPFエンティティは、MM機能を有するエンティティ又はSM機能を有するエンティティを含む。UPFエンティティ１０５は、主に、ユーザプレーンデータのルーティング及び転送のような機能を実施する。端末１０１は、１又は複数のネットワークスライス１０３に、RANノード１０２を用いてアクセスして良い。
【００５６】
図１に示される通信システムアーキテクチャに基づき、以下は、本願で提供されるソリューションを添付の図面及び例示的実施形態を参照して詳細に記載する。
【００５７】
図２を参照すると、本願の一実施形態の端末の移動性パターンを管理する方法の手順は次の通りである。
【００５８】
ステップ２０１。端末は、端末の移動性パターン関連情報をCPFエンティティへ送信する。
【００５９】
移動性パターン関連情報は、CPFエンティティにより、端末の第１移動性パターンを決定するために使用される。第１移動性パターンは、RANノードにより、端末の第２移動性パターンを決定するために使用される。
【００６０】
任意で、移動性パターン関連情報は、以下の情報：移動性パターン能力情報、サービス特徴情報、又は履歴移動性イベント統計情報、のうちの少なくとも１つを含む。移動性パターン能力情報は、端末によりサポート可能な移動性パターンを含む。サービス特徴情報は、端末の周期的サービス指示、端末の単一サービス通信の期間、又は端末のサービス周期のうちの少なくとも１つを含む。履歴移動性イベント統計情報は、特定時間セグメント内で端末において生じるハンドオーバ又は位置更新を含む。又は、履歴移動性イベント統計情報は、特定位置において生じるハンドオーバ又は位置更新を含む。又は、履歴移動性イベント統計情報は、特定時間セグメント内で又は特定位置において生じる移動速度種別を含む。
【００６１】
任意で、第１移動性パターン及び第２移動性パターンの両方は、以下の移動性管理構成情報：移動性パターン、位置領域リスト、位置更新タイマ、又はページング領域、のうちの少なくとも１つを含む。
【００６２】
ステップ２０２。CPFエンティティは、端末の移動性パターン関連情報を取得する。
【００６３】
CPFエンティティは、移動性パターン関連情報を、端末により送信された移動性パターン関連情報を受信することにより取得し、又は移動性パターン関連情報を、端末の加入情報を用いて取得して良い。
【００６４】
移動性パターン関連情報は、端末の適用シナリオに基づき決定され、主に端末の能力、移動性特徴、及びサービス特徴のような情報を含み、具体的に以下の情報：サービス特徴情報及び履歴移動性イベント統計情報のうちの１つ又は任意の組み合わせを含んで良い。
【００６５】
移動性パターン能力情報は、端末によりサポート可能な移動性パターンを含む。サービス特徴情報は、端末の周期的サービス指示、端末の単一サービス通信の期間、又は端末のサービス周期、のうちの少なくとも１つを含む。履歴移動性イベント統計情報は、特定時間セグメント内に及び／又は特定位置において生じるハンドオーバ及び位置更新のような移動性イベントの履歴統計情報を含む。
【００６６】
ステップ２０３。CPFエンティティは、端末の第１移動性パターンを、端末の移動性パターン関連情報に基づき決定する。
【００６７】
任意で、CPFエンティティは、端末の第１移動性パターンを以下の方法で決定する。
【００６８】
先ず、CPFエンティティは、端末の移動性パターン能力情報に基づき、端末によりサポート可能な移動性パターンを決定し、及び、
次に、CPFエンティティは、端末の履歴移動性イベント統計情報に基づき、少なくとも１つの移動性パターンを端末によりサポート可能な移動性パターンから選択する。又は、CPFエンティティは、端末のサービス特徴情報に基づき、少なくとも１つの移動性パターンを端末によりサポート可能な移動性パターンから選択する。又は、CPFエンティティは、端末のサービス特徴情報及び履歴移動性イベント統計情報に基づき、少なくとも１つの移動性パターンを端末によりサポート可能な移動性パターンから選択する。
【００６９】
CPFエンティティは、端末の第１移動性管理構成情報を、選択した少なくとも１つの移動性パターンに基づき決定する。
【００７０】
任意で、端末によりサポート可能な移動性パターンから少なくとも１つの移動性パターンを選択した後に、CPFエンティティは、選択した少なくとも１つの移動性パターンに対応する状態パラメータを決定する。
【００７１】
ステップ２０４。CPFエンティティは、第１移動性パターンをRANノードへ送信する。
【００７２】
第１移動性パターンは、RANノードにより、端末の第２移動性パターンを決定するために使用される。RANノードは、CPFエンティティにより送信された端末の第１移動性パターンを受信する。
【００７３】
第１移動性パターン及び第２移動性パターンの両方は、以下の移動性管理構成情報：接続状態、位置領域リスト、位置更新タイマ、又はページング領域、のうちの少なくとも１つを含む。
【００７４】
ステップ２０５。CPFエンティティにより送信された端末の第１移動性パターンを受信した後に、RANノードは、端末の第２移動性パターンを第１移動性パターンに基づき決定する。
【００７５】
ステップ２０６。RANノードは決定した第２移動性パターンを端末へ送信し、端末はRANノードにより送信された第２移動性パターンを受信する。
【００７６】
任意で、RANノードは、さらに、第２移動性パターンをCPFエンティティへ送信して、CPFエンティティが端末により最終的に使用される移動性パターンを知るようにする。
【００７７】
ステップ２０７。端末は、端末の移動性管理構成情報を、第２移動性パターンに含まれる少なくとも１つの移動性パターンに基づき決定する。
【００７８】
本願の本実施形態の接続状態は、シグナリング接続状態又はセッション接続状態のうちの少なくとも１つを含む。
【００７９】
具体的に、ステップ２０３で、CPFエンティティが端末の第１移動性パターンを決定する前に、CPFエンティティは、CPFエンティティによりサポート可能な移動性パターンセットを予め構成して良い。移動性パターンセットは、少なくとも１つの移動性パターン、及び各移動性パターンに対応するパターンインデックス値を含む。任意で、移動性パターンセットは、各移動性パターンの遷移条件を更に含む。説明の容易さのために、ここでCPFエンティティにより構成される移動性パターンセットは、第１移動性パターンセットとして参照されて良い。
【００８０】
本願の本実施形態の移動性パターンセットの可能な実装は、表１〜表３に示される１又は複数の移動性パターンリストの形式である。各移動性パターンリスト内のパターンインデックス値は、サブパターン１、サブパターン２、サブパターン３、等を含む。
【００８１】
本願の本実施形態の第１移動性パターン及び第２移動性パターンのような移動性パターンは、表１、表２、及び表３に示される少なくとも１つのサブパターンを含む。
【００８２】
留意すべきことに、状態パターンリストが状態パラメータを含まない場合、CPFエンティティは、第１移動性パターンに対応する状態パラメータを更に決定し及びRANノードに通知する必要がある。
【００８３】
【表１】
2019525676.tif 000003
【表２】
2019525676.tif 000004
【表３】
2019525676.tif 000005
任意で、CPFエンティティは、端末の第１移動性パターンを以下の方法で決定する。
【００８４】
先ず、CPFエンティティは、端末の移動性パターン能力情報に基づき、第１移動性パターンセットの中の且つ端末によりサポート可能な少なくとも１つの移動性パターンを決定し、及び、
次に、CPFエンティティは、端末の履歴移動性イベント統計情報に基づき、端末の履歴移動性イベント統計情報に対応する第１移動性パターンを、端末によりサポート可能な少なくとも１つの移動性パターンから選択する。又は、
CPFエンティティは、端末のサービス特徴情報に基づき、端末のサービス特徴情報に対応する第１移動性パターンを、端末によりサポート可能な少なくとも１つの移動性パターンから選択する。又は、
CPFエンティティは、端末のサービス特徴情報及び履歴移動性イベント統計情報に基づき、端末のサービス特徴情報及び履歴移動性イベント統計情報に対応する第１移動性パターンを、端末によりサポート可能な少なくとも１つの移動性パターンから選択する。
【００８５】
CPFエンティティは、決定した第１移動性パターンをRANノードへ、限定ではないが以下の方法を用いて送信して良い。
【００８６】
CPFエンティティは、第１移動性パターンに対応するパターンインデックス値をRANノードへ送信する、又は、CPFエンティティは、第１移動性パターンに含まれる端末の接続状態構成情報をRANノードへ送信する。
【００８７】
RANノードが端末の第２移動性パターンを第１移動性パターンに基づき決定する前に、RANノードは、RANノードによりサポート可能な移動性パターンセットを予め取得する。説明の容易さのために、ここでRANノードにより取得され且つRANノードによりサポート可能な移動性パターンセットは、第２移動性パターンセットとして参照されて良い。
【００８８】
RANノードは、第１移動性パターンが第２移動性パターンセットに含まれるか否かを決定する。第１移動性パターンが第２移動性パターンセットに含まれる場合、RANノードは、第１移動性パターンを第２移動性パターンとして決定する。第１移動性パターンが第２移動性パターンセットに含まれない場合、RANノードは、規定移動性パターンを第２移動性パターンセットから第２移動性パターンとして、規定構成に従い選択する。
【００８９】
言い換えると、RANノードは、端末の第２移動性パターンを、第１移動性パターンに基づき及びローカル構成ポリシに従い決定する。例えば、第１移動性パターンは、RRC_IDLE及びRRC_INACTIVEのような状態を含む。しかしながら、RANノードは、接続状態RRC_INACTIVEをサポートしない。この場合、RANノードは、規定状態：RRC_IDLE及びRRC_CONNECTEDを選択する。
【００９０】
以下は、本願の実施形態で提供される前述のソリューションを、CPFエンティティがMM機能及びSM機能を有する１つのエンティティである、及びCPFエンティティがMM機能を有するエンティティとSM機能を有するエンティティとを含む、２つの適用シナリオを参照して、更に詳述する。
【００９１】
第１適用シナリオでは、CPFエンティティは、MM機能及びSM機能の両方を有する１つのエンティティである。
【００９２】
本シナリオでは、１つのCPFエンティティがMM機能及びSM機能の両方を有する。方法のステップは図３に示される。
【００９３】
ステップ３０１。端末は、アタッチ要求メッセージをCPFエンティティへ送信する。
【００９４】
アタッチ要求メッセージは、端末によりサポート可能な移動性パターンを示すために、端末の移動性パターン能力情報を伝達する。
【００９５】
ステップ３０２。CPFエンティティは、端末の加入情報を加入者データベースから取得する。
【００９６】
代替として、CPFエンティティは、端末の加入情報を、端末が前にアタッチされた別のCPFエンティティから取得して良い。このステップは、CPFエンティティが端末の加入情報を知らないとき、実行される。勿論、CPFエンティティが端末の加入情報を既に知っている場合、ステップ３０２は実行されない。
【００９７】
端末の加入情報は、端末の何らかのサービス特徴情報、例えば周期的サービス指示、通信期間、通信周期、及び固定端末指示のようなサービスパラメータ、及び周期的位置更新タイマのような接続状態パラメータを含む、端末の何らかの移動性パターン関連情報、つまり端末の移動性パターンに関連する選択的支援情報を含む。
【００９８】
ステップ３０３。CPFエンティティは、端末の履歴移動性イベント統計情報を取得し、端末の第１移動性パターンを端末の履歴移動性イベント統計情報及び端末の移動性パターン能力に基づき決定する。
【００９９】
端末の履歴移動性イベント統計情報は、特定時間セグメント内に及び／又は特定位置において端末で生じるハンドオーバ及び位置更新のような移動性イベントの履歴統計情報、例えば特定時間セグメント内に端末で生じるハンドオーバ及び位置更新のようなイベントの回数を含む。端末の移動性特徴、例えば、端末が固定端末、低移動性端末、又は高移動性端末であるかは、これらの移動性イベントについて統計を収集することにより決定できる。CPFエンティティは、端末の移動性特徴の分類ルールを設定して良い。これは、本願において限定されない。
【０１００】
CPFエンティティは、移動性パターンセットを予め格納する。移動性パターンセットの可能な実装は、表１〜表３に示される１又は複数の移動性パターンリストの形式である。各移動性パターンリスト内のパターンインデックス値は、サブパターン１、サブパターン２、サブパターン３、等を含む。
【０１０１】
CPFエンティティは、端末の移動性パターン能力に基づき及びCPFエンティティにより予め格納された移動性パターンセットから、端末によりサポート可能な移動性パターンのサブセットを選択し、端末に適する第１移動性パターンを該サブセットから端末の履歴移動性イベント統計情報に基づき選択する。
【０１０２】
例えば、１ヶ月のうちの毎日の各時間セグメント内で端末で生じる位置更新及びハンドオーバのような移動性イベントの数についての統計が収集される。位置更新及びハンドオーバは端末で毎日７：００から９：００までの時間セグメント内で非常に頻繁に生じることが分かる。言い換えると、端末の位置は比較的頻繁に変化し、ユーザは時間セグメント内で仕事に行く途中であって良い。位置更新及びハンドオーバは、９：００から２１：００までの時間セグメント内で、より少ない回数しか生じない。ユーザは、該時間セグメント内で職場領域及び周辺領域にいて良い。位置更新及びハンドオーバは、２１：００から７：００までの時間セグメント内で、殆ど生じない。言い換えると、端末の位置は殆ど変化せず、ユーザは該時間セグメント内に家に居て良い。したがって、CPFエンティティは、７：００から９：００までの時間セグメント内の端末の第１移動性パターンが表１のサブパターン１及び表２のサブパターン１であると決定して良い。具体的に言うと、端末は、データ受信又は送信が実行されているときNCM_CONNECTED/RRC_CONNECTEDであり、データ受信又は送信が完了するとNCM_IDLE/RRC_IDLEに切り替えられる。さらに、CPFエンティティは、端末が頻繁に位置領域の外へ移動するために開始される位置更新により引き起こされるシグナリングオーバヘッドを回避するために、比較的広範囲を有する位置領域を端末に割り当てて良い。CPFエンティティは、９：００から２１：００までの時間セグメント内の端末の第１移動性パターンが表１のパターン３及び表２のパターン３であると決定して良い。具体的に言うと、端末のNASシグナリング接続は、常にNCM_CONNECTED状態のままである。RRCシグナリング接続は、データ送信が実行されるときRRC_CONNECTEDであり、データ送信が実行されないときRRA_PCHである。さらに、RANルーティング領域（英語：RAN  Routing  Areas、略称：RRA）パラメータは、端末の位置する職場領域及び周辺領域に対応する複数のセルに設定されて良い。言い換えると、ページングは、ページング領域が過剰に広いために引き起こされるページングシグナリングオーバヘッドを回避するために、RRA領域内でのみ実行される。
【０１０３】
CPFエンティティは、２１：００から７：００までの時間セグメント内の端末の第１移動性パターンが依然として表１のパターン３及び表２のパターン３であると決定して良いが、RRAパラメータは、端末の現在位置するセルに設定されて、ページング領域が特定セルに更に減少されるようにする。さらに、比較的長い周期的位置更新タイマが更に設定されて良い。
【０１０４】
代替として、前述の例の特定時間セグメントは、特定位置により置き換えられて良い。具体的に言うと、移動性パターンは、（家又は職場領域のような）端末において特定位置で生じる移動性イベントの履歴統計情報に基づき決定される。
【０１０５】
接続状態は、シグナリング接続状態又はサービス接続状態のうちの少なくとも１つを含む。第１移動性パターンがここで端末に対して選択されると、端末に適するシグナリング接続状態が考慮されて良い。続いて、端末がサービス接続を要求すると、端末のサービス特徴パラメータは、次に、セッション接続状態を決定するために考慮される。
【０１０６】
ステップ３０４。CPFエンティティは、端末に適する選択した第１移動性パターンをRANノードへ送信する。
【０１０７】
具体的には、端末の第１移動性パターンに対応するパターンインデックス値がRANノードへ送信される、又は端末の第１移動性パターンに含まれるパラメータが直接送信される。さらに、移動性パターンに関連し且つ端末の加入情報から取得された端末の周期的位置更新タイマのような何らかのパラメータ構成は、RANノードへ送信される。
【０１０８】
ステップ３０５。RANノードは、端末の最終的に使用される第２移動性パターンを、端末の第１移動性パターンに基づき及びローカル構成ポリシに従い決定する。
【０１０９】
RANノードが第１移動性パターンをサポートできない場合、RANノードは、規定移動性パターンを選択し、規定移動性パターンを端末により最終的に使用される第２移動性パターンとして決定する。
【０１１０】
RANノードが第１移動性パターンをサポートできる場合、RANノードは、第１移動性パターンを端末により最終的に使用される第２移動性パターンとして決定する。
【０１１１】
ステップ３０６。RANノードは、端末及びCPFエンティティへ、端末について決定された最終的に使用される第２移動性パターンを別個に送信する。
【０１１２】
ステップ３０７。端末は、接続確立要求メッセージをCPFエンティティへ送信する。
【０１１３】
ステップ３０８。CPFエンティティは、端末の第３移動性パターンを、ステップ３０２で取得された端末のサービス特徴情報及び端末の移動性パターン能力情報に基づき決定する。
【０１１４】
具体的には、ステップ３０３と同様に、CPFエンティティは、端末の移動性パターン能力に基づき及びCPFエンティティにより予め格納された移動性パターンセットから、端末によりサポート可能な移動性パターンのサブセットを選択し、端末に適する第３移動性パターンを該サブセットから端末のサービス特徴情報に基づき選択する。
【０１１５】
例えば、端末のサービス特徴情報は、データ受信又は送信が３０分の各通信期間に１回実行される周期的サービスである、この場合、CPFエンティティは、端末の第３移動性パターンが表３のパターン３であると決定して良い。遷移条件は次の通りである：状態は、セッションが確立された後にSESSION  CONTEXT  ACTIVEであり、データ受信又は送信が完了した後にSESSION  CONTEXT  SUSPENDに切り替えられ、データ送信が実行されているときSESSION  CONTEXT  ACTIVEに切り替えられ、セッションが解放された後にSESSION  CONTEXT  INACTIVEに切り替えられる。端末のサービス特徴情報が変更される、例えばデータ受信又は送信が１日の各通信期間に１回実行される周期的サービスに変更されると、CPFエンティティは、端末の第３移動性パターンが表３のパターン１であると決定して良く、遷移条件は次の通りである：状態は、セッションが確立された後にSESSION  CONTEXT  ACTIVEであり、データ受信又は送信が完了した後にSESSION  CONTEXT  INACTIVEに切り替えられ、データ送信が実行されているとき及びセッション接続が再確立されるとSESSION  CONTEXT  ACTIVEに切り替えられる。
【０１１６】
第３移動性パターンがここで端末に対して選択されると、端末に適するサービス移動性パターンのみが考慮されて良い。
【０１１７】
ステップ３０９。CPFエンティティは、端末に適する選択した第３移動性パターンをRANノードへ送信する。
【０１１８】
具体的に、端末の第３移動性パターンに対応するパターンインデックス値がRANノードへ送信される、又は端末の第３移動性パターンに含まれるパラメータが直接送信される。さらに、移動性パターンに関連し且つ端末の加入情報から取得された端末の周期的位置更新タイマのような何らかのパラメータ構成は、RANノードへ送信される。
【０１１９】
ステップ３１０。RANノードは、端末の最終的に使用される第４移動性パターンを、端末の第３移動性パターンに基づき及びローカル構成ポリシに従い決定する。
【０１２０】
ステップ３１１。RANノードは、端末及びCPFエンティティへ、端末について決定された最終的に使用される第４移動性パターンを別個に送信する。
【０１２１】
留意すべきことに、端末がアタッチ処理のみを要求し、接続確立処理を要求しない場合、ステップ３０１〜ステップ３０６だけが本ソリューションにおいて実行される必要がある。続いて、端末がサービスを実行する必要のあるとき、ステップ３０７〜ステップ３１１が実行される。
【０１２２】
第２適用シナリオでは、CPFエンティティは、MM機能を有するエンティティ又はSM機能を有するエンティティを含む。
【０１２３】
本シナリオでは、CPFエンティティの機能は、２つの機能エンティティを用いてそれぞれ実装される。MM機能を有するエンティティはMMエンティティとして参照されて良く、SM機能を有するエンティティはSMエンティティとして参照されて良い。方法のステップは図４に示される。
【０１２４】
ステップ４０１。端末は、アタッチ要求メッセージをMMエンティティへ送信する。
【０１２５】
アタッチ要求メッセージは、端末によりサポート可能な移動性パターンを示すために、端末の移動性パターン能力情報を伝達する。
【０１２６】
ステップ４０２。MMエンティティは、端末の加入情報を加入者データベースから取得する。
【０１２７】
代替として、MMエンティティは、端末の加入情報を、端末が前にアタッチされた別のMMエンティティから取得して良い。このステップは、MMエンティティが端末の加入情報を知らないとき、実行される。勿論、MMエンティティが端末の加入情報を既に知っているとき、ステップ４０２は実行されない。
【０１２８】
ステップ４０３。MMエンティティは、端末の履歴移動性イベント統計情報を取得し、端末の第１移動性パターンを端末の履歴移動性イベント統計情報及び端末の移動性パターン能力に基づき決定する。
【０１２９】
ステップ４０４。MMエンティティは、端末に適する選択した第１移動性パターンをRANノードへ送信する。
【０１３０】
ステップ３０１〜ステップ３０４と比べると、ステップ４０１〜ステップ４０４では、CPFエンティティからMMエンティティに変更された実行主体以外の他の内容は同じである。詳細は、ここで再び記載されない。
【０１３１】
ステップ４０５。RANノードは、端末の最終的に使用される第２移動性パターンを、端末の第１移動性パターンに基づき及びローカル構成ポリシに従い決定する。
【０１３２】
ステップ４０６。RANノードは、端末及びMMエンティティへ、端末について決定された最終的に使用される第２移動性パターンを別個に送信する。
【０１３３】
ステップ４０７。端末は、接続確立要求メッセージをSMエンティティへ送信する。
【０１３４】
接続確立要求メッセージは、端末によりサポート可能な移動性パターンを示すために、端末の移動性パターン能力情報を伝達する。
【０１３５】
ステップ４０８。SMエンティティは、端末の加入情報を加入者データベースから取得する。
【０１３６】
代替として、SMエンティティは、端末の加入情報を、端末が前にアタッチされた別のSMエンティティから取得して良い。このステップは、SMエンティティが端末の加入情報を知らないとき、実行される。勿論、SMエンティティが端末の加入情報を既に知っている場合、ステップ４０８は実行されない。端末の加入情報は、端末の移動性パターンに関連する何らかのパラメータを含み、端末の何らかのサービス特徴情報、例えば周期的サービス指示、通信期間、通信周期、及び固定端末指示のようなサービスパラメータを含み、及び周期的位置更新タイマのような接続状態パラメータを更に含む。
【０１３７】
ステップ４０９。SMエンティティは、端末の第３移動性パターンを、取得された端末のサービス特徴情報及び取得された端末の移動性パターン能力情報に基づき決定する。
【０１３８】
ステップ４１０。SMエンティティは、端末に適する選択した第３移動性パターンをRANノードへ送信する。
【０１３９】
ステップ４１１。RANノードは、端末の最終的に使用される第４移動性パターンを、端末の第３移動性パターンに基づき及びローカル構成ポリシに従い決定する。
【０１４０】
ステップ４１２。RANノードは、端末及びSMエンティティへ、端末について決定された最終的に使用される第４移動性パターンを別個に送信する。
【０１４１】
留意すべきことに、端末がアタッチ処理のみを要求し、接続確立処理を要求しない場合、ステップ４０１〜ステップ４０６だけが本ソリューションにおいて実行される必要がある。続いて、端末がサービスを実行する必要のあるとき、ステップ４０７〜ステップ４１２が実行される。
【０１４２】
本願の一実施形態は、端末の移動性パターンを管理する方法の別の実装を更に提供する。RANノードは、端末の移動性パターンを端末の適用シナリオに基づき決定する。特定手順は図５に示される。
【０１４３】
ステップ５０１。CPFエンティティは、端末の移動性パターン関連情報をRANノードへ送信し、RANノードは、CPFエンティティにより送信された端末の移動性パターン関連情報を受信する。
【０１４４】
移動性パターン関連情報は、以下の情報：移動性パターン能力情報、サービス特徴情報、及び履歴移動性イベント統計情報、のうちの１つ又は任意の組み合わせを含む。
【０１４５】
移動性パターン能力情報は、端末によりサポート可能な移動性パターンを含む。サービス特徴情報は、端末の周期的サービス指示、端末の単一サービス通信の期間、又は端末のサービス周期のうちの少なくとも１つを含む。履歴移動性イベント統計情報は、特定時間セグメント内で端末において生じるハンドオーバ又は位置更新を含む。又は、履歴移動性イベント統計情報は、特定位置において生じるハンドオーバ又は位置更新を含む。又は、履歴移動性イベント統計情報は、特定時間セグメント内で又は特定位置において生じる移動速度種別を含む。
【０１４６】
ステップ５０２。RANノードは、端末の第１移動性パターンを、端末の受信した移動性パターン関連情報に基づき決定する。
【０１４７】
移動性パターンは、以下の移動性管理構成情報：接続状態、位置領域リスト、位置更新タイマ、又はページング領域移動性管理構成情報、のうちの少なくとも１つを含む。
【０１４８】
具体的に、RANノードは、端末の移動性パターン能力情報に基づき、端末によりサポート可能な移動性パターンを決定する。次に、RANノードは、端末の履歴移動性イベント統計情報に基づき、少なくとも１つの移動性パターンを端末によりサポート可能な移動性パターンから選択する。又は、RANノードは、端末のサービス特徴情報に基づき、少なくとも１つの移動性パターンを端末によりサポート可能な移動性パターンから選択する。又は、RANノードは、端末のサービス特徴情報及び履歴移動性イベント統計情報に基づき、少なくとも１つの移動性パターンを端末によりサポート可能な移動性パターンから選択する。RANノードは、端末の移動性パターンを選択した少なくとも１つの移動性パターンに基づき決定する。
【０１４９】
具体的に、端末の移動性パターンを端末の移動性パターン関連情報に基づき決定する前に、RANノードは、RANノードによりサポート可能な移動性パターンセットを予め構成する。移動性パターンセットは、少なくとも１つの移動性パターン、及び各移動性パターンに対応するパターンインデックス値を含む。
【０１５０】
RANノードは、端末の移動性パターン能力情報に基づき、端末によりサポート可能な少なくとも１つの移動性パターンを移動性パターンセットから決定する。
【０１５１】
RANノードは、端末の履歴移動性イベント統計情報に基づき、端末の履歴移動性イベント統計情報に対応する移動性パターンを、端末によりサポート可能な少なくとも１つの移動性パターンから選択する。又は、RANノードは、端末のサービス特徴情報に基づき、端末のサービス特徴情報に対応する移動性パターンを、端末によりサポート可能な少なくとも１つの移動性パターンから選択する。
【０１５２】
ステップ５０３。RANノードは、決定した移動性パターンを端末へ送信する。
【０１５３】
具体的に、RANノードは、移動性パターンに対応するパターンインデックス値を端末へ送信する。又は、RANノードは、移動性パターンに含まれる端末の移動性パターン構成情報を端末へ送信する。
【０１５４】
同じ発明力のある着想に基づき、図６を参照すると、本願の一実施形態は、図２に示された端末の移動性パターンを管理する方法を実行するために、端末の移動性パターンを管理する機器６００を更に提供する。端末の移動性パターンを管理する機器６００は、取得ユニット６０１、決定ユニット６０２、及び送信ユニット６０３を含む。
【０１５５】
取得ユニット６０１は、端末の移動性パターン関連情報を取得するよう構成される。
【０１５６】
決定ユニット６０２は、端末の第１移動性パターンを、取得ユニット６０１により取得された端末の移動性パターン関連情報に基づき決定するよう構成される。
【０１５７】
送信ユニット６０３は、無線アクセスネットワークRANノードへ、決定ユニット６０２により決定された第１移動性パターンを送信するよう構成される。ここで、第１移動性パターンは、RANノードにより、端末の第２移動性パターンを決定するために使用される。
【０１５８】
任意で、移動性パターン関連情報は、以下の情報：移動性パターン能力情報、サービス特徴情報、又は履歴移動性イベント統計情報、のうちの少なくとも１つを含む。
【０１５９】
移動性パターン能力情報は、端末によりサポート可能な移動性パターンを含む。サービス特徴情報は、端末の周期的サービス指示、端末の単一サービス通信の期間、又は端末のサービス期間のうちの少なくとも１つを含む。履歴移動性イベント統計情報は、特定時間セグメント内で端末において生じるハンドオーバ又は位置更新を含む。又は、履歴移動性イベント統計情報は、特定位置において生じるハンドオーバ又は位置更新を含む。又は、履歴移動性イベント統計情報は、特定時間セグメント内で又は特定位置において生じる移動速度種別を含む。
【０１６０】
任意で、決定ユニット６０２は、端末の移動性パターン能力情報に基づき、端末によりサポート可能な移動性パターンを決定し、端末の履歴移動性イベント統計情報に基づき、少なくとも１つの移動性パターンを端末によりサポート可能な移動性パターンから選択し、又は端末のサービス特徴情報に基づき、少なくとも１つの移動性パターンを端末によりサポート可能な移動性パターンから選択し、又は端末のサービス特徴情報及び履歴移動性イベント統計情報に基づき、少なくとも１つの移動性パターンを端末によりサポート可能な移動性パターンから選択し、及び端末の第１移動性パターンを選択した少なくとも１つの移動性パターンに基づき決定する、よう構成される。
【０１６１】
任意で、第１移動性パターン及び第２移動性パターンの両方は、以下の移動性管理構成情報：接続状態、位置領域リスト、位置更新タイマ、又はページング領域、のうちの少なくとも１つを含む。
【０１６２】
任意で、移動性パターンは、シグナリング移動性パターン又はセッション移動性パターンのうちの少なくとも１つを含む。
【０１６３】
シグナリング移動性パターンは、非アクセスストラタムNASシグナリング移動性パターン又は無線リソース制御RRCシグナリング移動性パターンを含む。
【０１６４】
同じ発明力のある着想に基づき、図７を参照すると、本願の一実施形態は、図２に示された端末の移動性パターンを管理する方法を実行するために、端末の移動性パターンを管理する機器７００を更に提供する。端末の移動性パターンを管理する機器７００は、受信ユニット７０１、決定ユニット７０２、及び送信ユニット７０３を含む。
【０１６５】
受信ユニット７０１は、制御プレーン機能CPFエンティティにより送信された端末の第１移動性パターンを受信するよう構成される。
【０１６６】
決定ユニット７０２は、端末の第２移動性パターンを、受信ユニット７０１により受信された第１移動性パターンに基づき決定するよう構成される。
【０１６７】
送信ユニット７０３は、端末へ、決定ユニット７０２により決定された第２移動性パターンを送信するよう構成される。
【０１６８】
任意で、決定ユニット７０２は、機器によりサポート可能な移動性パターンを予め取得し、機器が第１移動性パターンに含まれる移動性管理構成情報をサポート可能である場合、第１移動性パターンを第２移動性パターンとして決定し、又は、機器が第１移動性パターンに含まれる移動性管理構成情報をサポートしない場合、規定移動性パターンを第２移動性パターンとして選択する、よう構成される。
【０１６９】
任意で、第１移動性パターン及び第２移動性パターンの両方は、以下の移動性管理構成情報：接続状態、位置領域リスト、位置更新タイマ、又はページング領域、のうちの少なくとも１つを含む。
【０１７０】
任意で、接続状態は、シグナリング接続状態又はセッション接続状態のうちの少なくとも１つを含む。
【０１７１】
シグナリング接続状態は、非アクセスストラタムNASシグナリング接続状態又は無線リソース制御RRCシグナリング接続状態を含む。
【０１７２】
同じ発明力のある着想に基づき、図８を参照すると、本願の一実施形態は、図５に示された端末の移動性パターンを管理する方法を実行するために、端末の移動性パターンを管理する別の機器８００を更に提供する。端末の移動性パターンを管理する機器８００は、受信ユニット８０１、決定ユニット８０２、及び送信ユニット８０３を含む。
【０１７３】
受信ユニット８０１は、制御プレーン機能CPFエンティティにより送信された端末の移動性パターン関連情報を受信するよう構成される。
【０１７４】
決定ユニット８０２は、端末の移動性パターンを、受信ユニット８０１により受信された移動性パターン関連情報に基づき決定するよう構成される。
【０１７５】
送信ユニット８０３は、端末へ、決定ユニット８０２により決定された移動性パターンを送信するよう構成される。
【０１７６】
任意で、移動性パターン関連情報は、以下の情報：移動性パターン能力情報、サービス特徴情報、又は履歴移動性イベント統計情報、のうちの少なくとも１つを含む。
【０１７７】
移動性パターン能力情報は、端末によりサポート可能な移動性パターンを含む。サービス特徴情報は、端末の周期的サービス指示、端末の単一サービス通信の期間、又は端末のサービス周期のうちの少なくとも１つを含む。履歴移動性イベント統計情報は、特定時間セグメント内で端末において生じるハンドオーバ又は位置更新を含む。又は、履歴移動性イベント統計情報は、特定位置において生じるハンドオーバ又は位置更新を含む。又は、履歴移動性イベント統計情報は、特定時間セグメント内で又は特定位置において生じる移動速度種別を含む。
【０１７８】
任意で、決定ユニット８０２は、端末の移動性パターン能力情報に基づき、端末によりサポート可能な移動性パターンを決定し、端末の履歴移動性イベント統計情報に基づき、少なくとも１つの移動性パターンを端末によりサポート可能な移動性パターンから選択し、又は端末のサービス特徴情報に基づき、少なくとも１つの移動性パターンを端末によりサポート可能な移動性パターンから選択し、又は端末のサービス特徴情報及び履歴移動性イベント統計情報に基づき、少なくとも１つの移動性パターンを端末によりサポート可能な移動性パターンから選択し、及び端末の移動性パターンを選択した少なくとも１つの移動性パターンに基づき決定する、よう構成される。
【０１７９】
任意で、移動性パターンは、以下の移動性管理構成情報：接続状態、位置領域リスト、位置更新タイマ、又はページング領域、のうちの少なくとも１つを含む。
【０１８０】
任意で、接続状態は、シグナリング接続状態又はセッション接続状態のうちの少なくとも１つを含む。
【０１８１】
シグナリング接続状態は、非アクセスストラタムNASシグナリング接続状態又は無線リソース制御RRCシグナリング接続状態を含む。
【０１８２】
同じ発明力のある着想に基づき、図９を参照すると、本願の一実施形態は、図２に示された端末の移動性パターンを管理する方法を実行するために、端末９００を更に提供する。端末９００は、送信ユニット９０１、受信ユニット９０２、及び決定ユニット９０３を含む。
【０１８３】
送信ユニット９０１は、端末の移動性パターン関連情報を制御プレーン機能CPFエンティティへ送信するよう構成される。移動性パターン関連情報は、端末の第１移動性パターンを決定するために使用される。
【０１８４】
受信ユニット９０２は、RANノードにより送信された第２移動性パターンを受信するよう構成される。
【０１８５】
決定ユニット９０３は、第２移動性パターンに含まれる少なくとも１つの移動性パターンに基づき、端末により使用される移動性パターンを決定するよう構成される。
【０１８６】
任意で、移動性パターン関連情報は、以下の情報：移動性パターン能力情報、サービス特徴情報、又は履歴移動性イベント統計情報、のうちの少なくとも１つを含む。
【０１８７】
移動性パターン能力情報は、端末によりサポート可能な移動性パターンを含む。サービス特徴情報は、端末の周期的サービス指示、端末の単一サービス通信の期間、又は端末のサービス周期のうちの少なくとも１つを含む。履歴移動性イベント統計情報は、特定時間セグメント内で端末において生じるハンドオーバ又は位置更新を含む。又は、履歴移動性イベント統計情報は、特定位置において生じるハンドオーバ又は位置更新を含む。又は、履歴移動性イベント統計情報は、特定時間セグメント内で又は特定位置において生じる移動速度種別を含む。
【０１８８】
同じ発明力のある着想に基づき、図１０を参照すると、本願の一実施形態は、通信機１００１、プロセッサ１００２、及びメモリ１０３を含む、CPFエンティティ１０００を更に提供する。メモリ１００３は、プログラムのセットを格納するよう構成される。プロセッサ１００２は、図２に示される端末の移動性パターンを管理する方法を実行するために、メモリ１００３に格納されたプログラムを呼び出すよう構成される。
【０１８９】
プロセッサ１００２は、中央処理ユニット（英語：central  processing  unit、略称：CPU）、ネットワークプロセッサ（英語：network  processor、略称：NP）、又はCPUとNPとの組合せであって良い。
【０１９０】
プロセッサ１００２は、ハードウェアチップを更に含んで良い。ハードウェアチップは、特定用途向け集積回路（英語：application−specific  integrated  circuit、略称：ASIC）、プログラマブル論理装置（英語：programmable  logic  device、略称：PLD）、又はそれらの組合せであって良い。PLDは、複合プログラマブル論理装置（英語：complex  programmable  logic  device、略称：CPLD）、フィールドプログラマブルゲートアレイ（英語：field−programmable  gate  array、略称：FPGA）、一般的なアレイロジック（英語：generic  array  logic、略称：GAL）、又はそれらの任意の組合せであって良い。
【０１９１】
メモリ１００３は、揮発性メモリ（英語：volatile  memory）、例えばランダムアクセスメモリ（英語：random  access  memory、略称：RAM）を含んで良い。代替として、メモリ１００３は、不揮発性メモリ（英語：non−volatile  memory）、例えばフラッシュメモリ（英語：flash  memory）、ハードディスクドライブ（英語：hard  disk  drive、略称：HDD）、ソリッドステートディスク（英語：solid−state  drive、略称：SSD）を含んで良い。代替として、メモリ１００３は、前述の種類のメモリの組合せを含んで良い。
【０１９２】
同じ発明力のある着想に基づき、図１１を参照すると、本願の一実施形態は、通信機１１０１、プロセッサ１１０２、及びメモリ１１０３を含む、RANノード１１００を更に提供する。メモリ１１０３は、プログラムのセットを格納するよう構成される。プロセッサ１１０２は、図２に示される端末の移動性パターンを管理する方法を実行するために、メモリ１１０３に格納されたプログラムを呼び出すよう構成される。
【０１９３】
プロセッサ１１０２は、中央処理ユニット（英語：central  processing  unit、略称：CPU）、ネットワークプロセッサ（英語：network  processor、略称：NP）、又はCPUとNPとの組合せであって良い。
【０１９４】
プロセッサ１１０２は、ハードウェアチップを更に含んで良い。ハードウェアチップは、特定用途向け集積回路（英語：application−specific  integrated  circuit、略称：ASIC）、プログラマブル論理装置（英語：programmable  logic  device、略称：PLD）、又はそれらの組合せであって良い。PLDは、複合プログラマブル論理装置（英語：complex  programmable  logic  device、略称：CPLD）、フィールドプログラマブルゲートアレイ（英語：field−programmable  gate  array、略称：FPGA）、一般的なアレイロジック（英語：generic  array  logic、略称：GAL）、又はそれらの任意の組合せであって良い。
【０１９５】
メモリ１１０３は、揮発性メモリ（英語：volatile  memory）、例えばランダムアクセスメモリ（英語：random  access  memory、略称：RAM）を含んで良い。代替として、メモリ１１０３は、不揮発性メモリ（英語：non−volatile  memory）、例えばフラッシュメモリ（英語：flash  memory）、ハードディスク（英語：hard  disk  drive、略称：HDD）、又はソリッドステートディスク（英語：solid−state  drive、略称：SSD）を含んで良い。代替として、メモリ１１０３は、前述の種類のメモリの組合せを含んで良い。
【０１９６】
同じ発明力のある着想に基づき、図１２を参照すると、本願の一実施形態は、通信機１２０１、プロセッサ１２０２、及びメモリ１２０３を含む、別のRANノード１２００を更に提供する。メモリ１２０３は、プログラムのセットを格納するよう構成される。プロセッサ１２０２は、図５に示される端末の移動性パターンを管理する方法を実行するために、メモリ１２０３に格納されたプログラムを呼び出すよう構成される。
【０１９７】
プロセッサ１２０２は、中央処理ユニット（英語：central  processing  unit、略称：CPU）、ネットワークプロセッサ（英語：network  processor、略称：NP）、又はCPUとNPとの組合せであって良い。
【０１９８】
プロセッサ１２０２は、ハードウェアチップを更に含んで良い。ハードウェアチップは、特定用途向け集積回路（英語：application−specific  integrated  circuit、略称：ASIC）、プログラマブル論理装置（英語：programmable  logic  device、略称：PLD）、又はそれらの組合せであって良い。PLDは、複合プログラマブル論理装置（英語：complex  programmable  logic  device、略称：CPLD）、フィールドプログラマブルゲートアレイ（英語：field−programmable  gate  array、略称：FPGA）、一般的なアレイロジック（英語：generic  array  logic、略称：GAL）、又はそれらの任意の組合せであって良い。
【０１９９】
メモリ１２０３は、揮発性メモリ（英語：volatile  memory）、例えばランダムアクセスメモリ（英語：random  access  memory、略称：RAM）を含んで良い。代替として、メモリ１２０３は、不揮発性メモリ（英語：non−volatile  memory）、例えばフラッシュメモリ（英語：flash  memory）、ハードディスク（英語：hard  disk  drive、略称：HDD）、又はソリッドステートディスク（英語：solid−state  drive、略称：SSD）を含んで良い。代替として、メモリ１２０３は、前述の種類のメモリの組合せを含んで良い。
【０２００】
同じ発明力のある着想に基づき、図１３を参照すると、本願の一実施形態は、通信機１３０１、プロセッサ１３０２、及びメモリ１３０３を含む、別の端末１３００を更に提供する。メモリ１３０３は、プログラムのセットを格納するよう構成される。プロセッサ１３０２は、図２に示される端末の移動性パターンを管理する方法を実行するために、メモリ１３０３に格納されたプログラムを呼び出すよう構成される。
【０２０１】
プロセッサ１３０２は、中央処理ユニット（英語：central  processing  unit、略称：CPU）、ネットワークプロセッサ（英語：network  processor、略称：NP）、又はCPUとNPとの組合せであって良い。
【０２０２】
プロセッサ１３０２は、ハードウェアチップを更に含んで良い。ハードウェアチップは、特定用途向け集積回路（英語：application−specific  integrated  circuit、略称：ASIC）、プログラマブル論理装置（英語：programmable  logic  device、略称：PLD）、又はそれらの組合せであって良い。PLDは、複合プログラマブル論理装置（英語：complex  programmable  logic  device、略称：CPLD）、フィールドプログラマブルゲートアレイ（英語：field−programmable  gate  array、略称：FPGA）、一般的なアレイロジック（英語：generic  array  logic、略称：GAL）、又はそれらの任意の組合せであって良い。
【０２０３】
メモリ１３０３は、揮発性メモリ（英語：volatile  memory）、例えばランダムアクセスメモリ（英語：random  access  memory、略称：RAM）を含んで良い。代替として、メモリ１３０３は、不揮発性メモリ（英語：non−volatile  memory）、例えばフラッシュメモリ（英語：flash  memory）、ハードディスク（英語：hard  disk  drive、略称：HDD）、又はソリッドステートディスク（英語：solid−state  drive、略称：SSD）を含んで良い。代替として、メモリ１３０３は、前述の種類のメモリの組合せを含んで良い。
【０２０４】
当業者は、本願の実施形態が方法、システム、又はコンピュータプログラムプロダクトとして提供され得ることを理解すべきである。したがって、本願は、ハードウェアのみの実施形態、ソフトウェアのみの実施形態、又はソフトウェアとハードウェアとの組合せを有する実施形態の形式を使用して良い。さらに、本願は、コンピュータ使用可能プログラムコードを含む１又は複数のコンピュータ使用可能記憶媒体（ディスクメモリ、CD−ROM、光メモリ、等を含むが、これらに限定されない）に実装されるコンピュータプログラムプロダクトの形式を使用して良い。
【０２０５】
本願は、本願の実施形態による方法、装置（システム）及びコンピュータプログラムプロダクトのフローチャート及び／又はブロック図を参照して記載された。理解されるべきことに、コンピュータプログラム命令は、フローチャート及び／又はブロック図の中の各々の処理及び／又は各々のブロック、及び／又はフローチャート及び／又はブロック図の中の処理及び／又はブロックの組合せを実施するために使用されて良い。これらのコンピュータプログラム命令は、機械を生成するために、汎用コンピュータ、専用コンピュータ、内蔵プロセッサ、又は任意の他のプログラマブルデータ処理装置のプロセッサに対して提供されて良く、コンピュータ又は任意の他のプログラマブルデータ処理装置のプロセッサにより実行される命令が、フローチャートの中の１又は複数の処理及び／又はブロック図の中の１又は複数のブロックの中の特定の機能を実装する機器を生成するようにする。
【０２０６】
これらのコンピュータプログラム命令は、コンピュータ又は任意の他のプログラマブルデータ処理装置に特定の方法で動作するよう指示できるコンピュータ可読メモリに格納されて良く、コンピュータ可読メモリに格納された命令が命令機器を含む製品を生成するようにする。命令機器は、フローチャートの中の１又は複数の処理の中の及び／又はブロック図の中の１又は複数のブロックの中の特定の機能を実装する。
【０２０７】
これらのコンピュータプログラム命令は、コンピュータ又は別のプログラマブルデータ処理装置にロードされても良く、一連の動作及びステップが該コンピュータ又は別のプログラマブル装置で実行されるようにし、それによりコンピュータにより実施される処理を生成する。したがって、コンピュータ又は別のプログラマブル装置で実行される命令は、フローチャートの中の１又は複数の処理の中の及び／又はブロック図の中の１又は複数のブロックの中の特定の機能を実施するステップを提供する。
【０２０８】
本願の幾つかの好適な実施形態が記載されたが、当業者は、基本的な発明概念を学習すると、これらの実施形態に変化及び変更を行うことができる。したがって、以下の請求項は、好適な実施形態及び本願の範囲に包含される全ての変化及び変更をカバーするものと考えられるべきである。
【０２０９】
明らかに、当業者は、本発明の実施形態の精神及び範囲から逸脱することなく本願の実施形態に種々の変更及び変形をなし得る。本願は、これらの変更及び変形が以下の請求項により定められる保護範囲及びそれらの均等技術に包含される場合、これらの変更及び変形をカバーすることを意図する。
【図１】
2019525676.tif 000006
【図２】
2019525676.tif 000007
【図３】
2019525676.tif 000008
【図４】
2019525676.tif 000009
【図５】
2019525676.tif 000010
【図６】
2019525676.tif 000011
【図７】
2019525676.tif 000012
【図８】
2019525676.tif 000013
【図９】
2019525676.tif 000014
【図１０】
2019525676.tif 000015
【図１１】
2019525676.tif 000016
【図１２】
2019525676.tif 000017
【図１３】
2019525676.tif 000018
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
端末の移動性パターンを管理する方法であって、
制御プレーン機能（CPF）エンティティにより、端末の移動性パターン関連情報を取得するステップと、
前記CPFエンティティにより、前記端末の前記移動性パターン関連情報に基づき、前記端末の第１移動性パターンを決定するステップと、
前記CPFエンティティにより、前記第１移動性パターンを無線アクセスネットワーク（RAN）ノードへ送信するステップであって、前記第１移動性パターンは前記RANノードにより前記端末の第２移動性パターンを決定するために使用される、ステップと、
を含み、前記第１移動性パターンは以下の移動性管理構成情報：接続状態、位置領域リスト、位置更新タイマ、又はページング領域、のうちの少なくとも１つを含み、及び前記第２移動性パターンは以下の移動性管理構成情報：接続状態、位置領域リスト、位置更新タイマ、又はページング領域、のうちの少なくとも１つを含む、方法。
【請求項２】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１に記載の方法。
【請求項３】
前記CPFエンティティにより、前記端末の前記移動性パターン関連情報に基づき前記端末の第１移動性パターンを決定する前記ステップは、
前記CPFエンティティにより、前記端末の前記移動性パターン能力情報に基づき、前記端末によりサポートされる前記移動性パターンを決定するステップ、及び、
前記CPFエンティティにより、前記端末の前記履歴移動性イベント統計情報に基づき、前記端末によりサポートされる前記移動性パターンから前記第１移動性パターンを選択し、又は、前記CPFエンティティにより、前記端末の前記サービス特徴情報に基づき、前記端末によりサポートされる前記移動性パターンから前記第１移動性パターンを選択し、又は、前記CPFエンティティにより、前記端末の前記サービス特徴情報及び前記履歴移動性イベント統計情報に基づき、前記端末によりサポートされる前記移動性パターンから前記第１移動性パターンを選択するステップ、
を含む、請求項２に記載の方法。
【請求項４】
前記接続状態は、シグナリング接続状態及びセッション接続状態のうちの少なくとも１つを含み、
前記シグナリング接続状態は、非アクセスストラタム（NAS）シグナリング接続状態又は無線リソース制御（RRC）シグナリング接続状態を含む、請求項１乃至３のいずれか一項に記載の方法。
【請求項５】
無線アクセスネットワーク（RAN）ノードにより、制御プレーン機能、CPF、エンティティから端末の第１移動性パターンを受信するステップと、
前記RANノードにより、前記第１移動性パターンに基づき、前記端末の第２移動性パターンを決定するステップと、
前記RANノードにより、前記決定した第２移動性パターンを前記端末へ送信するステップと、
を含み、前記第１移動性パターンは以下：接続状態、位置領域リスト、位置更新タイマ、又はページング領域、のうちの少なくとも１つを含み、及び前記第２移動性パターンは以下：接続状態、位置領域リスト、位置更新タイマ、又はページング領域、のうちの少なくとも１つを含む、方法。
【請求項６】
前記RANノードにより、前記第１移動性パターンに基づき、前記端末の第２移動性パターンを決定する前記ステップは、
前記RANノードにより、前記RANノードによりサポートされる移動性パターンを予め取得するステップ、及び、
前記RANノードにより、前記RANノードが前記第１移動性パターンに含まれる移動性管理構成情報をサポートすることに応答して、前記第１移動性パターンを前記第２移動性パターンとして決定するステップ、又は、
前記RANノードにより、前記RANノードが前記第１移動性パターンに含まれる移動性管理構成情報をサポートしないことに応答して、規定移動性パターンを前記第２移動性パターンとして選択するステップ、
を含む、請求項５に記載の方法。
【請求項７】
前記接続状態は、シグナリング接続状態又はセッション接続状態のうちの少なくとも１つを含み、
前記シグナリング接続状態は、非アクセスストラタム（NAS）シグナリング接続状態又は無線リソース制御（RRC）シグナリング接続状態を含む、請求項５又は６に記載の方法。
【請求項８】
端末の移動性パターンを管理する方法であって、
端末により、前記端末の移動性パターン関連情報を制御プレーン機能（CPF）エンティティへ送信するステップであって、前記移動性パターン関連情報は、前記端末の第１移動性パターンを決定するために使用される、ステップと、
前記端末により、無線アクセスネットワーク（RAN）ノードから第２移動性パターンを受信するステップであって、前記第２移動性パターンは移動性管理構成情報を含む、ステップと、
前記端末により、前記第２移動性パターンに基づき、前記端末の前記移動性管理構成情報を決定するステップと、
を含む方法。
【請求項９】
前記移動性パターン関連情報は、以下の情報：移動性パターン能力情報、サービス特徴情報、及び履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項８に記載の方法。
【請求項１０】
端末の移動性パターンを管理する機器であって、
端末の移動性パターン関連情報を取得するよう構成される取得ユニットと、
前記取得ユニットにより取得された前記端末の前記移動性パターン関連情報に基づき、前記端末の第１移動性パターンを決定するよう構成される決定ユニットと、
無線アクセスネットワーク（RAN）ノードへ、前記決定ユニットにより決定された前記第１移動性パターンを送信するよう構成される送信ユニットであって、前記第１移動性パターンは、前記RANノードにより前記端末の第２移動性パターンを決定するために使用される、送信ユニットと、
を含み、
前記第１移動性パターンは以下の移動性管理構成情報：接続状態、位置領域リスト、位置更新タイマ、又はページング領域、のうちの少なくとも１つを含み、及び前記第２移動性パターンは以下の移動性管理構成情報：接続状態、位置領域リスト、位置更新タイマ、又はページング領域、のうちの少なくとも１つを含む、機器。
【請求項１１】
前記移動性パターン関連情報は、以下の情報：移動性パターン能力情報、サービス特徴情報、又は履歴移動性イベント統計情報、のうちの少なくとも１つを含み、
前記移動性パターン能力情報は、前記端末によりサポートされる移動性パターンを含み、前記サービス特徴情報は、前記端末の周期的サービス指示、前記端末の単一サービス通信の期間、又は前記端末のサービス周期、のうちの少なくとも１つを含み、前記履歴移動性イベント統計情報は、特定時間セグメント内で前記端末において生じるハンドオーバ又は位置更新を含み、又は前記履歴移動性イベント統計情報は、特定位置において生じるハンドオーバ又は位置更新を含み、又は前記履歴移動性イベント統計情報は、特定時間セグメント内で又は特定位置において生じる移動速度種別を含む、請求項１０に記載の機器。
【請求項１２】
前記接続状態は、シグナリング接続状態及びセッション接続状態のうちの少なくとも１つを含み、
前記シグナリング接続状態は、非アクセスストラタム（NAS）シグナリング接続状態又は無線リソース制御（RRC）シグナリング接続状態を含む、請求項１０又は１１に記載の機器。
【請求項１３】
端末の移動性パターンを管理する機器であって、
制御プレーン機能（CPF）エンティティから端末の第１移動性パターンを受信するよう構成される受信ユニットと、
前記受信ユニットにより受信された前記第１移動性パターンに基づき、前記端末の第２移動性パターンを決定するよう構成される決定ユニットと、
前記端末へ、前記決定ユニットにより決定された前記第２移動性パターンを送信するよう構成される送信ユニットと、
を含み、
前記第１移動性パターンは以下の移動性管理構成情報：接続状態、位置領域リスト、位置更新タイマ、又はページング領域、のうちの少なくとも１つを含み、及び前記第２移動性パターンは以下の移動性管理構成情報：接続状態、位置領域リスト、位置更新タイマ、又はページング領域、のうちの少なくとも１つを含む、機器。
【請求項１４】
前記決定ユニットは、
前記機器によりサポートされる移動性パターンを予め取得し、
前記機器が前記第１移動性パターンに含まれる移動性管理構成情報をサポートすることに応答して、前記第１移動性パターンを前記第２移動性パターンとして決定し、又は、
前記機器が前記第１移動性パターンに含まれる移動性管理構成情報をサポートしないことに応答して、規定移動性パターンを前記第２移動性パターンとして選択する、
よう構成される、請求項１３に記載の機器。
【請求項１５】
前記接続状態は、シグナリング接続状態又はセッション接続状態のうちの少なくとも１つを含み、
前記シグナリング接続状態は、非アクセスストラタム（NAS）シグナリング接続状態又は無線リソース制御（RRC）シグナリング接続状態を含む、請求項１３又は１４に記載の機器。
【請求項１６】
端末であって、
前記端末の移動性パターン関連情報を制御プレーン機能（CPF）エンティティへ送信するよう構成される送信ユニットであって、前記移動性パターン関連情報は前記端末の第１移動性パターンを決定するために使用される、送信ユニットと、
無線アクセスネットワーク（RAN）ノードから第２移動性パターンを受信するよう構成される受信ユニットと、
前記第２移動性パターンに基づき、前記端末の移動性管理構成情報を決定するよう構成される決定ユニットと、
を含む端末。
【請求項１７】
システムであって、
請求項１０乃至１２のいずれか一項に記載の機器と、
請求項１３乃至１５のいずれか一項に記載の機器と、
を含むシステム。
【請求項１８】
前記システムは、
請求項１６に記載の端末を更に含む請求項１７に記載のシステム。
【請求項１９】
記録されたプログラムを有するコンピュータ可読媒体であって、前記プログラムはコンピュータに請求項１乃至９のいずれかに記載の方法を実行させる、コンピュータ可読媒体。
【請求項２０】
コンピュータプログラムプロダクトであって、請求項１乃至９のいずれか一項に記載の方法を実行するために使用される一群のプログラムコードを含むコンピュータプログラムプロダクト。
【手続補正２】
【補正対象書類名】明細書
【補正対象項目名】００４３
【補正方法】変更
【補正の内容】
【００４３】
第１１の態様によると、通信機、メモリ、及びプロセッサを含む、無線アクセスネットワークRANノードが提供される。メモリは、プログラムのセットを格納するよう構成される。プロセッサは、以下の動作を実行するために、メモリに格納されたプログラムを呼び出すよう構成される：通信機を用いて、制御プレーン機能CPFエンティティにより送信された端末の移動性パターン関連情報を受信するステップと、端末の移動性パターンを移動性パターン関連情報に基づき決定するステップと、端末へ移動性パターンを送信するステップ。このように、RANノードは、端末に適する移動性パターンを端末の実際の適用シナリオに基づき選択し、端末に通知できる。これは、端末の固定的移動性パターン構成を打ち破り、端末の移動性パターンの柔軟な構成及び管理を、端末の実際の適用シナリオに基づき実施し、ネットワーク性能を最適化する。
【手続補正３】
【補正対象書類名】明細書
【補正対象項目名】００５０
【補正方法】変更
【補正の内容】
【００５０】
【図１】本願の一実施形態による通信システムのアーキテクチャ図である。
【図２】本願の一実施形態による端末の移動性パターンを管理する方法の第１フローチャートである。
【図３】本願の一実施形態による端末の移動性パターンを管理する方法の第２フローチャートである。
【図４】本願の一実施形態による端末の移動性パターンを管理する方法の第３フローチャートである。
【図５】本願の一実施形態による端末の移動性パターンを管理する方法の第４フローチャートである。
【図６】本願の一実施形態による端末の移動性パターンを管理する機器の第１構造図である。
【図７】本願の一実施形態による端末の移動性パターンを管理する機器の第２構造図である。
【図８】本願の一実施形態による端末の移動性パターンを管理する機器の第３構造図である。
【図９】本願の一実施形態による端末の第１構造図である。
【図１０】本願の一実施形態によるCPFエンティティの構造図である。
【図１１】本願の一実施形態によるRANノードの第１構造図である。
【図１２】本願の一実施形態によるRANノードの第２構造図である。
【図１３】本願の一実施形態による端末の第２構造図である。
【手続補正４】
【補正対象書類名】明細書
【補正対象項目名】００８０
【補正方法】変更
【補正の内容】
【００８０】
本願の本実施形態の移動性パターンセットの可能な実装は、表１〜表３に示される１又は複数の移動性パターンリストの形式である。各移動性パターンリスト内のパターンインデックス値は、パターン１、パターン２、パターン３、等を含む。
【手続補正５】
【補正対象書類名】明細書
【補正対象項目名】００８１
【補正方法】変更
【補正の内容】
【００８１】
本願の本実施形態の第１移動性パターン及び第２移動性パターンのような移動性パターンは、表１、表２、及び表３に示される少なくとも１つのパターンを含む。
【手続補正６】
【補正対象書類名】明細書
【補正対象項目名】０２０９
【補正方法】変更
【補正の内容】
【０２０９】
明らかに、当業者は、本発明の実施形態の範囲から逸脱することなく本願の実施形態に種々の変更及び変形をなし得る。本願は、これらの変更及び変形が以下の請求項により定められる保護範囲及びそれらの均等技術に包含される場合、これらの変更及び変形をカバーすることを意図する。
【手続補正７】
【補正対象書類名】図面
【補正対象項目名】図６
【補正方法】変更
【補正の内容】
【図６】
2019525676.tif 000019
【手続補正８】
【補正対象書類名】図面
【補正対象項目名】図７
【補正方法】変更
【補正の内容】
【図７】
2019525676.tif 000020
【手続補正９】
【補正対象書類名】図面
【補正対象項目名】図８
【補正方法】変更
【補正の内容】
【図８】
2019525676.tif 000021
【国際調査報告】
2019525676.tif 000022
2019525676.tif 000023
2019525676.tif 000024
2019525676.tif 000025